(57)【要約】  本明細書で説明される技法および装置は、複数のアンカーチャネルを（例えば、隣接チャネルにおいて）同時に送信することによって、アンライセンス周波数スペクトル内の狭帯域通信を容易にする。例えば、基地局が、５００ｋＨｚの最小帯域幅要件が満たされるように、それぞれ１８０ｋＨｚの少なくとも３つのアンカーチャネルを同時に送信し得る。さらに、本明細書で説明される技法および装置は、異なるタイプの発見基準信号（ＤＲＳ）が異なるアンカーチャネル上で繰り返されるおよび／または送信されるようにするＤＲＳ構造を提供し、これは、周波数ダイバーシティを改善する。また、アンカーチャネルの同期信号が、アンカーチャネルの構成を示すために使用され得る。したがって、ＮＢ−ＩｏＴ−アンライセンス（ＮＢ−ＩｏＴ−ｕ）スペクトルにおける同期が可能になり、単一のアンカーチャネルを使用する同期に比べて効率が改善される。【選択図】図１
2021506172.tif 000002
【特許請求の範囲】
【請求項１】
基地局によって実行されるワイヤレス通信の方法であって、
複数のアンカーチャネルを決定することと、ここにおいて、前記複数のアンカーチャネルのうちの第１のアンカーチャネルは、少なくとも１つの同期信号を含み、ここにおいて、前記複数のアンカーチャネルのうちの少なくとも２つのアンカーチャネルは、ブロードキャストチャネルまたは情報ブロックのうちの少なくとも１つを含み、
少なくとも１つのユーザ機器（ＵＥ）に前記複数のアンカーチャネルを同時に送信することと、
前記複数のアンカーチャネルに少なくとも部分的に基づいて、前記少なくとも１つのＵＥと通信することと
を備える方法。
【請求項２】
前記第１のアンカーチャネルは、前記ブロードキャストチャネルまたは前記情報ブロックのうちの前記少なくとも１つを含む、前記少なくとも２つのアンカーチャネルのうちの１つである、請求項１に記載の方法。
【請求項３】
前記複数のアンカーチャネルは、第１の送信において同時に送信され、前記方法は、
前記第１の送信の後の第２の送信において、前記複数のアンカーチャネルを同時に送信すること
をさらに備える、請求項１に記載の方法。
【請求項４】
前記第１の送信は、第１のホッピングフレーム中にあり、前記第２の送信は、第２のホッピングフレーム中にある、請求項３に記載の方法。
【請求項５】
前記第１の送信に含まれる前記情報ブロックは、情報ブロックサイクルの第１の情報ブロックおよび第２の情報ブロックを含み、前記第２の送信に含まれる情報ブロックが、前記情報ブロックサイクルの第３の情報ブロックおよび第４の情報ブロックである、請求項３に記載の方法。
【請求項６】
前記複数のアンカーチャネルは、周期的にまたは繰り返し送信される、請求項１に記載の方法。
【請求項７】
前記情報ブロックは、自己復号可能マスタ情報ブロックを含む、請求項１に記載の方法。
【請求項８】
前記少なくとも１つの同期信号、前記ブロードキャストチャネル、または前記情報ブロックのうちの少なくとも１つは、発見基準信号である、請求項１に記載の方法。
【請求項９】
前記複数のアンカーチャネルは、発見基準信号チャネルを備える、請求項１に記載の方法。
【請求項１０】
前記情報ブロックは、前記少なくとも１つのＵＥのための周波数ホッピングホワイトリストを識別する、請求項１に記載の方法。
【請求項１１】
前記少なくとも１つの同期信号は、前記第１のアンカーチャネルにおいて送信され、前記情報ブロックは、第１の情報ブロックであり、前記複数のアンカーチャネルのうちの第２のアンカーチャネルにおいて送信され、マスタ情報ブロックを備える第２の情報ブロックが、前記複数のアンカーチャネルのうちの第３のアンカーチャネルにおいて前記ブロードキャストチャネルとともに送信される、請求項１に記載の方法。
【請求項１２】
前記少なくとも１つの同期信号は、前記複数のアンカーチャネルの構成を示す、請求項１に記載の方法。
【請求項１３】
前記少なくとも１つの同期信号は、前記少なくとも１つの同期信号のサイクリックシフトに少なくとも部分的に基づいて、前記複数のアンカーチャネルの前記構成を示す、請求項１２に記載の方法。
【請求項１４】
ワイヤレス通信のための基地局であって、
メモリと、
前記メモリに動作可能に結合された少なくとも１つのプロセッサと
を備え、前記メモリおよび前記少なくとも１つのプロセッサは、
複数のアンカーチャネルを決定することと、ここにおいて、前記複数のアンカーチャネルのうちの第１のアンカーチャネルは、少なくとも１つの同期信号を含み、ここにおいて、前記複数のアンカーチャネルのうちの少なくとも２つのアンカーチャネルは、ブロードキャストチャネルまたは情報ブロックのうちの少なくとも１つを含み、
少なくとも１つのユーザ機器（ＵＥ）に前記複数のアンカーチャネルを同時に送信することと、
前記複数のアンカーチャネルに少なくとも部分的に基づいて、前記少なくとも１つのＵＥと通信することと
を行うように構成される、基地局。
【請求項１５】
前記第１のアンカーチャネルは、前記ブロードキャストチャネルまたは前記情報ブロックのうちの前記少なくとも１つを含む、前記少なくとも２つのアンカーチャネルのうちの１つである、請求項１４に記載の基地局。
【請求項１６】
前記複数のアンカーチャネルは、第１の送信において同時に送信され、前記１つまたは複数のプロセッサはさらに、
前記第１の送信の後の第２の送信において、前記複数のアンカーチャネルを同時に送信すること
を行うためのものである、請求項１４に記載の基地局。
【請求項１７】
前記第１の送信は、第１のホッピングフレーム中にあり、前記第２の送信は、第２のホッピングフレーム中にある、請求項１６に記載の基地局。
【請求項１８】
前記第１の送信に含まれる前記情報ブロックは、情報ブロックサイクルの第１の情報ブロックおよび第２の情報ブロックを含み、前記第２の送信に含まれる情報ブロックが、情報ブロックサイクルの第３の情報ブロックおよび第４の情報ブロックである、請求項１６に記載の基地局。
【請求項１９】
前記複数のアンカーチャネルは、周期的にまたは繰り返し送信される、請求項１４に記載の基地局。
【請求項２０】
前記情報ブロックは、自己復号可能マスタ情報ブロックを含む、請求項１４に記載の基地局。
【請求項２１】
前記少なくとも１つの同期信号、前記ブロードキャストチャネル、または前記情報ブロックのうちの少なくとも１つは、発見基準信号である、請求項１４に記載の基地局。
【請求項２２】
前記複数のアンカーチャネルは、発見基準信号チャネルを備える、請求項１４に記載の基地局。
【請求項２３】
前記情報ブロックは、前記少なくとも１つのＵＥのための周波数ホッピングホワイトリストを識別する、請求項１４に記載の基地局。
【請求項２４】
前記少なくとも１つの同期信号は、前記複数のアンカーチャネルの構成を示す、請求項１４に記載の基地局。
【請求項２５】
前記少なくとも１つの同期信号は、前記少なくとも１つの同期信号のサイクリックシフトに少なくとも部分的に基づいて、前記複数のアンカーチャネルの前記構成を示す、請求項２４に記載の基地局。
【請求項２６】
前記少なくとも１つの同期信号は、前記第１のアンカーチャネルにおいて送信され、前記情報ブロックは、第１の情報ブロックであり、前記複数のアンカーチャネルのうちの第２のアンカーチャネルにおいて送信され、マスタ情報ブロックを備える第２の情報ブロックが、前記複数のアンカーチャネルのうちの第３のアンカーチャネルにおいて前記ブロードキャストチャネルとともに送信される、請求項１４に記載の基地局。
【請求項２７】
ワイヤレス通信のための１つまたは複数の命令を記憶した非一時的なコンピュータ可読媒体であって、
前記１つまたは複数の命令は、基地局の１つまたは複数のプロセッサによって実行されると、前記１つまたは複数のプロセッサに、
複数のアンカーチャネルを決定することと、ここにおいて、前記複数のアンカーチャネルのうちの第１のアンカーチャネルは、少なくとも１つの同期信号を含み、ここにおいて、前記複数のアンカーチャネルのうちの少なくとも２つのアンカーチャネルは、少なくともブロードキャストチャネルまたは情報ブロックを含み、
少なくとも１つのユーザ機器（ＵＥ）に前記複数のアンカーチャネルを同時に送信することと、
前記複数のアンカーチャネルに少なくとも部分的に基づいて、前記少なくとも１つのＵＥと通信することと
を行わせる、非一時的なコンピュータ可読媒体。
【請求項２８】
前記少なくとも１つの同期信号は、前記複数のアンカーチャネルの構成を示す、請求項２７に記載の非一時的なコンピュータ可読媒体。
【請求項２９】
前記少なくとも１つの同期信号は、前記少なくとも１つの同期信号のサイクリックシフトに少なくとも部分的に基づいて、前記複数のアンカーチャネルの前記構成を示す、請求項２８に記載の非一時的なコンピュータ可読媒体。
【請求項３０】
ワイヤレス通信のための装置であって、
複数のアンカーチャネルを決定するための手段と、ここにおいて、前記複数のアンカーチャネルのうちの第１のアンカーチャネルは、少なくとも１つの同期信号を含み、ここにおいて、前記複数のアンカーチャネルのうちの少なくとも２つのアンカーチャネルは、ブロードキャストチャネルまたは情報ブロックのうちの少なくとも１つを含み、
少なくとも１つのユーザ機器（ＵＥ）に前記複数のアンカーチャネルを同時に送信するための手段と、
前記複数のアンカーチャネルに少なくとも部分的に基づいて、前記少なくとも１つのＵＥと通信するための手段と
を備える装置。
【請求項３１】
前記少なくとも１つの同期信号は、前記複数のアンカーチャネルの構成を示す、請求項３０に記載の装置。
【請求項３２】
前記少なくとも１つの同期信号は、前記少なくとも１つの同期信号のサイクリックシフトに少なくとも部分的に基づいて、前記複数のアンカーチャネルの前記構成を示す、請求項３１に記載の装置。
【請求項３３】
ユーザ機器（ＵＥ）によって実行されるワイヤレス通信の方法であって、
第１のアンカーチャネル上で少なくとも１つの同期信号を受信することと、ここにおいて、前記第１のアンカーチャネルは、同時に送信された複数のアンカーチャネルのうちの１つであり、
前記第１のアンカーチャネルおよび前記複数のアンカーチャネルのうちの少なくとも１つの他のアンカーチャネル上で、ブロードキャストチャネルまたは情報ブロックのうちの少なくとも１つを受信することと、
前記同期信号に少なくとも部分的に基づいて、同期動作を実行することと
を備える方法。
【請求項３４】
前記少なくとも１つの同期信号は、前記複数のアンカーチャネルの第１の送信において受信され、前記ブロードキャストチャネルまたは前記情報ブロックのうちの前記少なくとも１つは、前記複数のアンカーチャネルの第２の送信において、前記少なくとも１つの他のアンカーチャネル上で受信される、請求項３３に記載の方法。
【請求項３５】
前記ブロードキャストチャネルまたは前記情報ブロックのうちの前記少なくとも１つは、前記第１の送信における前記第１のアンカーチャネル上での前記ブロードキャストチャネルまたは前記情報ブロックのうちの前記少なくとも１つの受信が不成功であったことに少なくとも部分的に基づいて、前記第２の送信において受信される、請求項３４に記載の方法。
【請求項３６】
前記ブロードキャストチャネルまたは前記情報ブロックのうちの前記少なくとも１つを受信するために、前記少なくとも１つの他のアンカーチャネルにチューニングすること
をさらに備える、請求項３３に記載の方法。
【請求項３７】
前記複数のアンカーチャネルは、周期的にまたは繰り返し送信される、請求項３３に記載の方法。
【請求項３８】
前記情報ブロックは、自己復号可能マスタ情報ブロックを含む、請求項３３に記載の方法。
【請求項３９】
前記少なくとも１つの同期信号、前記ブロードキャストチャネル、または前記情報ブロックのうちの少なくとも１つは、発見基準信号である、請求項３３に記載の方法。
【請求項４０】
前記複数のアンカーチャネルは、発見基準信号チャネルを備える、請求項３３に記載の方法。
【請求項４１】
前記情報ブロックは、前記ＵＥのための周波数ホッピングホワイトリストを識別する、請求項３３に記載の方法。
【請求項４２】
前記少なくとも１つの同期信号に少なくとも部分的に基づいて、前記複数のアンカーチャネルの構成を決定すること
をさらに備える、請求項３３に記載の方法。
【請求項４３】
前記決定は、前記少なくとも１つの同期信号のサイクリックシフトに少なくとも部分的に基づく、請求項４２に記載の方法。
【請求項４４】
ワイヤレス通信のためのユーザ機器（ＵＥ）であって、
メモリと、
前記メモリに動作可能に結合された少なくとも１つのプロセッサと
を備え、前記メモリおよび前記少なくとも１つのプロセッサは、
第１のアンカーチャネル上で少なくとも１つの同期信号を受信することと、ここにおいて、前記第１のアンカーチャネルは、同時に送信された複数のアンカーチャネルのうちの１つであり、
前記第１のアンカーチャネルおよび前記複数のアンカーチャネルのうちの少なくとも１つの他のアンカーチャネル上で、ブロードキャストチャネルまたは情報ブロックのうちの少なくとも１つを受信することと、
前記少なくとも１つの同期信号に少なくとも部分的に基づいて、同期動作を実行することと
を行うためのものである、ＵＥ。
【請求項４５】
前記少なくとも１つの同期信号は、前記複数のアンカーチャネルの第１の送信において受信され、前記ブロードキャストチャネルまたは前記情報ブロックのうちの前記少なくとも１つは、前記複数のアンカーチャネルの第２の送信において、前記少なくとも１つの他のアンカーチャネル上で受信される、請求項４４に記載のＵＥ。
【請求項４６】
前記ブロードキャストチャネルまたは前記情報ブロックのうちの前記少なくとも１つは、前記第１の送信における前記第１のアンカーチャネル上での前記ブロードキャストチャネルまたは前記情報ブロックのうちの前記少なくとも１つの受信が不成功であったことに少なくとも部分的に基づいて、前記第２の送信において受信される、請求項４５に記載のＵＥ。
【請求項４７】
前記１つまたは複数のプロセッサはさらに、
前記ブロードキャストチャネルまたは前記情報ブロックのうちの前記少なくとも１つを受信するために、前記少なくとも１つの他のアンカーチャネルにチューニングすること
を行うためのものである、請求項４４に記載のＵＥ。
【請求項４８】
前記複数のアンカーチャネルは、周期的にまたは繰り返し送信される、請求項４４に記載のＵＥ。
【請求項４９】
前記情報ブロックは、自己復号可能マスタ情報ブロックを含む、請求項４４に記載のＵＥ。
【請求項５０】
前記少なくとも１つの同期信号、前記ブロードキャストチャネル、または前記情報ブロックのうちの少なくとも１つは、発見基準信号である、請求項４４に記載のＵＥ。
【請求項５１】
前記複数のアンカーチャネルは、発見基準信号チャネルを備える、請求項４４に記載のＵＥ。
【請求項５２】
前記情報ブロックは、前記ＵＥのための周波数ホッピングホワイトリストを識別する、請求項４４に記載のＵＥ。
【請求項５３】
前記１つまたは複数のプロセッサはさらに、
前記少なくとも１つの同期信号に少なくとも部分的に基づいて、前記複数のアンカーチャネルの構成を決定すること
を行うためのものである、請求項４４に記載のＵＥ。
【請求項５４】
前記決定は、前記少なくとも１つの同期信号のサイクリックシフトに少なくとも部分的に基づく、請求項５３に記載のＵＥ。
【請求項５５】
１つまたは複数の命令を記憶した非一時的なコンピュータ可読媒体であって、
前記１つまたは複数の命令は、基地局の１つまたは複数のプロセッサによって実行されると、前記１つまたは複数のプロセッサに、
第１のアンカーチャネル上で少なくとも１つの同期信号を受信することと、ここにおいて、前記第１のアンカーチャネルは、同時に送信された複数のアンカーチャネルのうちの１つであり、
前記第１のアンカーチャネルおよび前記複数のアンカーチャネルのうちの少なくとも１つの他のアンカーチャネル上で、ブロードキャストチャネルまたは情報ブロックのうちの少なくとも１つを受信することと、
前記少なくとも１つの同期信号に少なくとも部分的に基づいて、同期動作を実行することと
を行わせる、非一時的なコンピュータ可読媒体。
【請求項５６】
前記１つまたは複数の命令は、前記１つまたは複数のプロセッサによって実行されると、前記１つまたは複数のプロセッサに、
前記少なくとも１つの同期信号に少なくとも部分的に基づいて、前記複数のアンカーチャネルの構成を決定すること
を行わせる、請求項５５に記載の非一時的なコンピュータ可読媒体。
【請求項５７】
前記決定は、前記少なくとも１つの同期信号のサイクリックシフトに少なくとも部分的に基づく、請求項５６に記載の非一時的なコンピュータ可読媒体。
【請求項５８】
ワイヤレス通信のための装置であって、
第１のアンカーチャネル上で少なくとも１つの同期信号を受信するための手段と、ここにおいて、前記第１のアンカーチャネルは、同時に送信された複数のアンカーチャネルのうちの１つであり、
前記第１のアンカーチャネルおよび前記複数のアンカーチャネルのうちの少なくとも１つの他のアンカーチャネル上で、ブロードキャストチャネルおよび／または情報ブロックを受信するための手段と、
前記同期信号に少なくとも部分的に基づいて、同期動作を実行するために手段と
を備える装置。
【請求項５９】
前記少なくとも１つの同期信号に少なくとも部分的に基づいて、前記複数のアンカーチャネルの構成を決定するための手段
をさらに備える、請求項５８に記載の装置。
【請求項６０】
前記決定は、前記少なくとも１つの同期信号のサイクリックシフトに少なくとも部分的に基づく、請求項５９に記載の装置。
【発明の詳細な説明】
【米国特許法第１１９条に基づく関連出願の相互参照】
【０００１】
[0001]本願は、２０１７年１２月８日に出願された「TECHNIQUES AND APPARATUSES FOR NARROWBAND PHYSICAL BROADCAST CHANNEL DESIGN ON MULTIPLE ANCHOR CHANNELS」と題する米国仮特許出願第６２／５９６，６８４号、および２０１８年１２月４日に出願された「NARROWBAND PHYSICAL BROADCAST CHANNEL DESIGN ON MULTIPLE ANCHOR CHANNELS」と題する米国非仮特許出願第１６／２０９，５３８号の優先権を主張し、これらは、ここでの参照により本明細書に明確に組み込まれている。
【技術分野】
【０００２】
[0002]本開示の態様は、一般にワイヤレス通信に関し、より詳細には、（例えば、狭帯域システムにおける）複数のアンカーチャネル上の狭帯域物理ブロードキャストチャネル（ＮＰＢＣＨ）設計のための技法および装置に関する。
【背景技術】
【０００３】
[0003]ワイヤレス通信システムは、電話通信、ビデオ、データ、メッセージング、およびブロードキャストなどの様々な電気通信サービスを提供するために広く展開されている。典型的なワイヤレス通信システムは、利用可能なシステムリソース（例えば、帯域幅、送信電力、および／または同様のもの）を共有することによって複数のユーザとの通信をサポートすることが可能な多元接続技術を用い得る。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、時分割同期符号分割多元接続（ＴＤ−ＳＣＤＭＡ）システム、およびロングタームエボリューション（ＬＴＥ（登録商標））を含む。ＬＴＥ／ＬＴＥアドバンストは、第３世代パートナーシッププロジェクト（３ＧＰＰ（登録商標））によって公表されたユニバーサルモバイルテレコミュニケーションズシステム（ＵＭＴＳ）モバイル規格への拡張セットである。
【０００４】
[0004]ワイヤレス通信ネットワークは、いくつかのユーザ機器（ＵＥ）のための通信をサポートし得るいくつかの基地局（ＢＳ）を含み得る。ＵＥは、ダウンリンクおよびアップリンクを介してＢＳと通信し得る。ダウンリンク（すなわち、順方向リンク）は、ＢＳからＵＥへの通信リンクを指し、アップリンク（すなわち、逆方向リンク）は、ＵＥからＢＳへの通信リンクを指す。本明細書でより詳細に説明されるように、ＢＳは、ノードＢ、ｇＮＢ、アクセスポイント（ＡＰ）、無線ヘッド、送受信ポイント（ＴＲＰ）、５Ｇ  ＢＳ、５ＧノードＢ、および／または同様のもので呼ばれ得る。
【０００５】
[0005]上記の多元接続技術は、異なるワイヤレス通信デバイスが都市、国家、地域、さらには地球レベルで通信することを可能にする共通プロトコルを提供するために、様々な電気通信規格において採用されてきた。新無線（ＮＲ：New radio）とも呼ばれ得る５Ｇは、第３世代パートナーシッププロジェクト（３ＧＰＰ）によって公表されたＬＴＥモバイル規格への拡張セットである。５Ｇは、スペクトル効率を改善すること、コストを下げること、サービスを改善すること、新しいスペクトルを利用すること、および、ダウンリンク（ＤＬ）上ではサイクリックプレフィックス（ＣＰ）を伴う直交周波数分割多重化（ＯＦＤＭ）（ＣＰ−ＯＦＤＭ）を使用し、アップリンク（ＵＬ）上ではＣＰ−ＯＦＤＭおよび／またはＳＣ−ＦＤＭ（例えば、離散フーリエ変換拡散ＯＦＤＭ（ＤＦＴ−ｓ−ＯＦＤＭ）としても知られる）を使用し、ならびにビームフォーミング、多入力多出力（ＭＩＭＯ）アンテナ技術、およびキャリアアグリゲーションをサポートして、他のオープン規格とより良く統合することによって、モバイルブロードバンドインターネットアクセスをより良くサポートするように設計されている。しかしながら、モバイルブロードバンドアクセスに対する需要が増大し続けるにつれて、ＬＴＥおよび５Ｇ技術におけるさらなる改善が必要とされる。好ましくは、これらの改善は、他の多元接続技術、およびこれらの技術を用いる電気通信規格に適用可能であるべきである。
【０００６】
[0006]狭帯域通信は、ＬＴＥ通信のために使用される周波数帯域幅と比較して制限された周波数帯域幅を用いて通信することを伴う。狭帯域通信の一例が、狭帯域（ＮＢ）ＩｏＴ（ＮＢ−ＩｏＴ）通信であり、これは、システム帯域幅の単一のリソースブロック（ＲＢ）、例えば、１８０ｋＨｚに制限され得る。狭帯域通信の別の例が、拡張型マシンタイプ通信（ｅＭＴＣ）であり、これは、システム帯域幅の６個のＲＢ、例えば、１．０８ＭＨｚに制限され得る。ＮＢ−ＩｏＴ通信および／またはｅＭＴＣは、デバイスの複雑さを低減し、複数年のバッテリ寿命を可能にし、建物の奥深くなどの困難なロケーションに到達するためのより深いカバレッジを提供し得る。
【発明の概要】
【０００７】
[0007]狭帯域通信は、ＬＴＥ通信のために使用される周波数帯域幅と比較して制限された周波数帯域幅を用いて通信することを伴う。狭帯域通信の一例が、ＮＢ−ＩｏＴ通信であり、これは、システム帯域幅の単一のＲＢ（例えば、１８０ｋＨｚ）に制限され得る。狭帯域通信の別の例が、ｅＭＴＣであり、これは、システム帯域幅の６個のＲＢ（例えば、１．０８ＭＨｚ）に制限され得る。ＮＢ−ＩｏＴ通信および／またはｅＭＴＣは、デバイスの複雑さを低減し、複数年のバッテリ寿命を可能にし、建物の奥深くなどの困難なロケーションに到達するためのより深いカバレッジを提供し得る。
【０００８】
[0008]ある特定のｅＭＴＣ構成では、狭帯域通信のためのチャネル帯域幅は、低複雑度デバイスおよび高効率電力増幅器（ＰＡ）をサポートするために、様々な繰返しレベルを有する６個のＲＢであり得る。ある特定のＮＢ−ＩｏＴ構成では、狭帯域通信のためのチャネル帯域幅は、低複雑度デバイスおよび高効率ＰＡをサポートするために、シングルトーン（例えば、３．７５ｋＨｚ）に制限され得る。
【０００９】
[0009]しかしながら、６ＲＢ（例えば、１．０８ＭＨｚ）通信帯域幅および／またはシングルトーン（例えば、３．７５ｋＨｚなど）通信帯域幅をサポートすることは、アンライセンス周波数スペクトル（例えば、５ＧＨｚアンライセンス周波数スペクトル、サブ２．４ＧＨｚアンライセンス周波数スペクトル、またはサブＧＨｚアンライセンス周波数スペクトルなど）を使用する狭帯域通信（例えば、ｅＭＴＣおよび／またはＮＢ−ＩｏＴ）についてのある特定の電力スペクトル密度（ＰＳＤ）制限（例えば、送信電力制限）および帯域幅要件により、可能でない場合がある。
【００１０】
[0010]例えば、米国におけるデジタル変調（例えば、ディファレンシャルタイムシグナリング（ＤＴＳ：differential time signaling）変調）のために使用されるＰＳＤは、最大８ｄＢｍ／３ｋＨｚに制限され得る。したがって、ＵＥは、最大ＰＳＤがシングルトーン（例えば、３．７５ｋＨｚ）よりも小さい帯域幅（例えば、３ｋＨｚ）に制限されるので、アンライセンススペクトルにおいて全電力（full power）を使用してシングルトーン送信を送信することができない場合がある。さらに、米国におけるアンライセンス周波数スペクトルを使用する狭帯域通信のためのシステム帯域幅は、例えば、５００ｋＨｚに制限され得る。換言すれば、いくつかのデジタル変調モード（例えば、ＤＴＳ）を使用するとき、基地局は、米国（およびある特定の他の国）において動作することを許可されるためには、最小帯域幅要件（例えば、５００ｋＨｚ）およびＰＳＤリミット（PSD limit）（例えば、８ｄＢｍ／３ｋＨｚ）を満たさなければならない場合がある。
【００１１】
[0011]基地局は、基地局によってカバーされるＵＥの同期のために、発見基準信号（ＤＲＳ）を送信し得る。本明細書で説明されるような発見基準信号は、例えば、狭帯域プライマリ同期信号、狭帯域セカンダリ同期信号、（例えば、マスタ情報ブロックを含み得る）狭帯域物理ブロードキャストチャネル、システム情報ブロック、同期信号ブロック、および／または同様のものを含み得る。発見基準信号は、アンカーチャネルと称され得るチャネルにおいて送信され得る。アンカーチャネルの周波数は、基地局によってカバーされるＵＥに既知であり得る。レガシーアプローチでは、ＤＲＳは、単一のチャネルまたはＲＢ上で周期的に（例えば、定期的に）送信され得る。しかしながら、基地局は、発見基準信号に関して最小帯域幅要件およびＰＳＤリミットを満たす必要があり得る。
【００１２】
[0012]本明細書で説明される技法および装置は、複数のアンカーチャネルを（例えば、隣接チャネルにおいて）同時に送信することによって、アンライセンス周波数スペクトル内の狭帯域通信を容易にする。例えば、基地局は、５００ｋＨｚの最小帯域幅要件が満たされるように、それぞれ１８０ｋＨｚの少なくとも３つのアンカーチャネルを同時に送信し得る。さらに、本明細書で説明される技法および装置は、異なるタイプのＤＲＳが異なるアンカーチャネル上で繰り返されるおよび／または送信されるようにするＤＲＳ構造を提供し、これは、周波数ダイバーシティを改善する。いくつかの態様では、ＵＥは、第１のアンカーチャネル上で受信された同期信号（例えば、第１のアンカーチャネル上で受信された同期信号のサイクリックシフト）に少なくとも部分的に基づいて、少なくとも３つのアンカーチャネルの構成を決定し得、または、ＢＳはそれを示し得る。したがって、ＰＳＤ制限に準拠しながら、ＮＢ−ＩｏＴ−アンライセンス（ＮＢ−ＩｏＴ−ｕ）スペクトルにおける同期が可能になり、単一のアンカーチャネルを使用する同期に比べて効率が改善される。
【００１３】
[0013]本開示の態様では、方法、ユーザ機器（ＵＥ）、基地局、装置、およびコンピュータプログラム製品が提供される。
【００１４】
[0014]いくつかの態様では、方法は、基地局によって実行され得る。方法は、複数のアンカーチャネルを決定することと、ここにおいて、複数のアンカーチャネルのうちの第１のアンカーチャネルが、少なくとも１つの同期信号を含み、ここにおいて、複数のアンカーチャネルのうちの少なくとも２つのアンカーチャネルが、ブロードキャストチャネルおよび／または情報ブロックを含み、少なくとも１つのＵＥに複数のアンカーチャネルを同時に送信することと、複数のアンカーチャネルに少なくとも部分的に基づいて、少なくとも１つのＵＥと通信することと、を含み得る。
【００１５】
[0015]いくつかの態様では、基地局は、メモリと、メモリに動作可能に結合された１つまたは複数のプロセッサとを含み得る。メモリおよび１つまたは複数のプロセッサは、複数のアンカーチャネルを決定することと、ここにおいて、複数のアンカーチャネルのうちの第１のアンカーチャネルが、少なくとも１つの同期信号を含み、ここにおいて、複数のアンカーチャネルのうちの少なくとも２つのアンカーチャネルが、ブロードキャストチャネルおよび／または情報ブロックを含み、少なくとも１つのＵＥに複数のアンカーチャネルを同時に送信することと、複数のアンカーチャネルに少なくとも部分的に基づいて、少なくとも１つのＵＥと通信することと、を行うように構成され得る。
【００１６】
[0016]いくつかの態様では、装置は、複数のアンカーチャネルを決定するための手段と、ここにおいて、複数のアンカーチャネルのうちの第１のアンカーチャネルが、少なくとも１つの同期信号を含み、ここにおいて、複数のアンカーチャネルのうちの少なくとも２つのアンカーチャネルが、ブロードキャストチャネルおよび／または情報ブロックを含み、少なくとも１つのＵＥに複数のアンカーチャネルを同時に送信するための手段と、複数のアンカーチャネルに少なくとも部分的に基づいて、少なくとも１つのＵＥと通信するための手段と、を含み得る。
【００１７】
[0017]いくつかの態様では、コンピュータプログラム製品は、１つまたは複数の命令を記憶した非一時的なコンピュータ可読媒体を含み得る。１つまたは複数の命令は、基地局の１つまたは複数のプロセッサによって実行されると、１つまたは複数のプロセッサに、複数のアンカーチャネルを決定することと、ここにおいて、複数のアンカーチャネルのうちの第１のアンカーチャネルが、少なくとも１つの同期信号を含み、ここにおいて、複数のアンカーチャネルのうちの少なくとも２つのアンカーチャネルが、ブロードキャストチャネルおよび／または情報ブロックを含み、少なくとも１つのＵＥに複数のアンカーチャネルを同時に送信することと、複数のアンカーチャネルに少なくとも部分的に基づいて、少なくとも１つのＵＥと通信することと、を行わせ得る。
【００１８】
[0018]いくつかの態様では、方法は、ＵＥによって実行され得る。方法は、第１のアンカーチャネル上で少なくとも１つの同期信号を受信することと、ここにおいて、第１のアンカーチャネルは、同時に送信された複数のアンカーチャネルのうちの１つであり、第１のアンカーチャネルおよび複数のアンカーチャネルのうちの少なくとも１つの他のアンカーチャネル上でブロードキャストチャネルおよび／または情報ブロックを受信することと、同期信号に少なくとも部分的に基づいて、同期動作を実行することと、を含み得る。
【００１９】
[0019]いくつかの態様では、ＵＥは、メモリと、メモリに動作可能に結合された１つまたは複数のプロセッサとを含み得る。メモリおよび１つまたは複数のプロセッサは、第１のアンカーチャネル上で少なくとも１つの同期信号を受信することと、ここにおいて、第１のアンカーチャネルは、同時に送信された複数のアンカーチャネルのうちの１つであり、第１のアンカーチャネルおよび複数のアンカーチャネルのうちの少なくとも１つの他のアンカーチャネル上でブロードキャストチャネルおよび／または情報ブロックを受信することと、同期信号に少なくとも部分的に基づいて、同期動作を実行することと、を行うように構成され得る。
【００２０】
[0020]いくつかの態様では、装置は、第１のアンカーチャネル上で少なくとも１つの同期信号を受信するための手段と、ここにおいて、第１のアンカーチャネルは、同時に送信された複数のアンカーチャネルのうちの１つであり、第１のアンカーチャネルおよび複数のアンカーチャネルのうちの少なくとも１つの他のアンカーチャネル上でブロードキャストチャネルおよび／または情報ブロックを受信するための手段と、同期信号に少なくとも部分的に基づいて、同期動作を実行するための手段と、を含み得る。
【００２１】
[0021]いくつかの態様では、コンピュータプログラム製品は、１つまたは複数の命令を記憶した非一時的なコンピュータ可読媒体を含み得る。１つまたは複数の命令は、ＵＥの１つまたは複数のプロセッサによって実行されると、１つまたは複数のプロセッサに、第１のアンカーチャネル上で少なくとも１つの同期信号を受信することと、ここにおいて、第１のアンカーチャネルは、同時に送信された複数のアンカーチャネルのうちの１つであり、第１のアンカーチャネルおよび複数のアンカーチャネルのうちの少なくとも１つの他のアンカーチャネル上でブロードキャストチャネルおよび／または情報ブロックを受信することと、同期信号に少なくとも部分的に基づいて、同期動作を実行することと、を行わせ得る。
【００２２】
[0022]態様は、概して、添付の図面および明細書を参照して本明細書で実質的に説明され、かつ、添付の図面および明細書によって例示されるような、方法、装置、システム、コンピュータプログラム製品、非一時的なコンピュータ可読媒体、ユーザ機器、基地局、ワイヤレス通信デバイス、および処理システムを含む。
【００２３】
[0023]前述は、以下の詳細な説明がより良く理解され得るように、本開示による例の特徴および技術的利点をどちらかと言えば広く概説している。追加の特徴および利点が以下に説明される。開示される概念および特定の例は、本開示の同じ目的を実行するための他の構造を修正または設計するための基礎として容易に利用され得る。このような同等の構造は、添付の特許請求の範囲の範囲から逸脱しない。本明細書で開示される概念の特性は、関連する利点とともに、それらの編成および動作の方法の両方について、添付の図面に関連して考慮されるとき、以下の説明からより良く理解されるであろう。図面の各々は、特許請求の範囲の限定の定義としてではなく、例示および説明を目的として提供される。
【図面の簡単な説明】
【００２４】
【図１】[0024]図１は、ワイヤレス通信ネットワークの例を例示する図である。
【図２】[0025]図２は、ワイヤレス通信ネットワークにおいてユーザ機器（ＵＥ）と通信状態にある基地局の例を例示する図である。
【図３Ａ】[0026]図３Ａは、ＬＴＥキャリア内のインバンド展開のための狭帯域（ＮＢ）フレーム構造（偶数無線フレーム）の例を例示する図である。
【図３Ｂ】[0026]図３Ｂは、ＬＴＥキャリア内のインバンド展開のためのＮＢフレーム構造（奇数無線フレーム）の例を例示する図である。
【図３Ｃ】[0026]図３Ｃは、ＬＴＥキャリア内のガードバンド／スタンドアロン展開のためのＮＢフレーム構造（偶数無線フレーム）の例を例示する図である。
【図３Ｄ】[0026]図３Ｄは、ＬＴＥキャリア内のガードバンド／スタンドアロン展開のためのＮＢフレーム構造（偶数無線フレーム）の例を例示する図である。
【図４Ａ】[0027]図４Ａは、単一のアンカーチャネルのためのＮＢ発見基準信号構造の例を例示する図である。
【図４Ｂ】[0028]図４Ｂは、基地局とＵＥとの間のアンライセンス周波数スペクトルにおける狭帯域通信のために使用され得る周波数ホッピングパターンを例示する図である。
【図５】[0029]図５は、狭帯域システムにおける複数のアンカーチャネルのための同期サイクルの例を例示する図である。
【図６】[0030]図６は、狭帯域システムにおける複数のアンカーチャネルのために、ＵＥを同期する例を例示する図である。
【図７】[0031]図７は、ワイヤレス通信の方法のフローチャートである。
【図８】[0032]図８は、例となる装置における異なるモジュール／手段／コンポーネント間のデータフローを例示する概念的なデータフロー図である。
【図９】[0033]図９は、処理システムを用いる装置のためのハードウェアインプリメンテーションの例を例示する図である。
【図１０】[0034]図１０は、ワイヤレス通信の方法のフローチャートである。
【図１１】[0035]図１１は、例となる装置における異なるモジュール／手段／コンポーネント間のデータフローを例示する概念的なデータフロー図である。
【図１２】図１２は、処理システムを用いる装置のためのハードウェアインプリメンテーションの例を例示する図である。
【詳細な説明】
【００２５】
[0036]添付の図面に関連して以下に示される詳細な説明は、様々な構成の説明として意図され、本明細書で説明される概念が実施され得る構成を表すようには意図されない。詳細な説明は、様々な概念の完全な理解を提供することを目的とした特定の詳細を含む。しかしながら、これらの概念が、これらの特定の詳細なしで実施され得ることは、当業者には明らかであろう。いくつかの事例では、周知の構造およびコンポーネントが、このような概念を曖昧にすることを避けるために、ブロック図形式で示される。
【００２６】
[0037]ここで、電気通信システムのいくつかの態様が、様々な装置および方法を参照して提示される。これらの装置および方法は、以下の詳細な説明において説明され、様々なブロック、モジュール、コンポーネント、回路、ステップ、プロセス、アルゴリズム、および／または同様のもの（「要素」と総称される）によって、添付の図面において例示される。これらの要素は、電子ハードウェア、コンピュータソフトウェア、またはこれらの任意の組合せを使用してインプリメントされ得る。このような要素がハードウェアとしてインプリメントされるか、あるいはソフトウェアとしてインプリメントされるかは、特定のアプリケーションおよびシステム全体に課される設計制約に依存する。
【００２７】
[0038]例として、要素、または要素の任意の部分、または複数の要素の任意の組合せが、１つまたは複数のプロセッサを含む「処理システム」を用いてインプリメントされ得る。プロセッサの例は、マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、ステートマシン、ゲートロジック（gated logic）、ディスクリートハードウェア回路、および本開示全体にわたって説明される様々な機能を実行するように構成された他の好適なハードウェアを含む。処理システムにおける１つまたは複数のプロセッサは、ソフトウェアを実行し得る。ソフトウェアは、ソフトウェア、ファームウェア、ミドルウェア、マイクロコード、ハードウェア記述言語、またはそれ以外の名称で呼ばれるかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数（functions）、および／または同様のものを意味するように広く解釈されるべきである。
【００２８】
[0039]したがって、１つまたは複数の例となる実施形態では、説明される機能は、ハードウェア、ソフトウェア、ファームウェア、またはこれらの任意の組合せでインプリメントされ得る。ソフトウェアでインプリメントされる場合、これら機能は、コンピュータ可読媒体上で、１つまたは複数の命令またはコードとして符号化または記憶され得る。コンピュータ可読媒体は、コンピュータ記憶媒体を含む。記憶媒体は、コンピュータによってアクセスされ得る任意の利用可能な媒体であり得る。限定ではなく例として、このようなコンピュータ可読媒体は、ランダムアクセスメモリ（ＲＡＭ）、読取専用メモリ（ＲＯＭ）、電気的に消去可能なプログラマブルＲＯＭ（ＥＥＰＲＯＭ（登録商標））、コンパクトディスクＲＯＭ（ＣＤ−ＲＯＭ）または他の光ディスク記憶装置、磁気ディスク記憶装置または他の磁気記憶デバイス、前述のタイプのコンピュータ可読媒体の組合せ、あるいはコンピュータによってアクセスされ得るデータ構造または命令の形でコンピュータ実行可能コードを記憶するために使用され得るその他任意の媒体を備え得る。
【００２９】
[0040]態様は、３Ｇおよび／または４Ｇワイヤレス技術に一般に関連付けられた専門用語を使用して本明細書で説明され得る一方で、本開示の態様は、５Ｇ技術を含む、例えば、５Ｇ以降などの、他の世代ベースの通信システムにおいて適用され得る。
【００３０】
[0041]図１は、本開示の態様が実施され得るネットワーク１００を例示する図である。ネットワーク１００は、ＬＴＥネットワーク、または５Ｇネットワークなどの何らかの他のワイヤレスネットワークであり得る。ワイヤレスネットワーク１００は、いくつかのＢＳ１１０（ＢＳ１１０ａ、ＢＳ１１０ｂ、ＢＳ１１０ｃ、およびＢＳ１１０ｄとして示される）と、他のネットワークエンティティとを含み得る。ＢＳは、ユーザ機器（ＵＥ）と通信するエンティティであり、基地局、５Ｇ  ＢＳ、ノードＢ、ｇＮＢ、５Ｇ  ＮＢ、アクセスポイント、送受信ポイント（ＴＲＰ）、および／または同様のものでも呼ばれ得る。各ＢＳは、特定の地理的エリアに通信カバレッジを提供し得る。３ＧＰＰでは、「セル」という用語は、この用語が使用されるコンテキストに応じて、ＢＳのカバレッジエリアおよび／またはこのカバレッジエリアにサービス提供するＢＳサブシステムを指し得る。
【００３１】
[0042]ＢＳは、マクロセル、ピコセル、フェムトセル、および／または別のタイプのセルに通信カバレッジを提供し得る。マクロセルは、比較的大きい地理的エリア（例えば、半径数キロメートル）をカバーし得、サービスに加入しているＵＥによる無制限のアクセスを可能にし得る。ピコセルは、比較的小さい地理的エリアをカバーし得、サービスに加入しているＵＥによる無制限のアクセスを可能にし得る。フェムトセルは、比較的小さい地理的エリア（例えば、自宅）をカバーし得、フェムトセルとのアソシエーションを有するＵＥ（例えば、限定加入者グループ（ＣＳＧ）中のＵＥ）による制限付きアクセスを可能にし得る。マクロセルのためのＢＳは、マクロＢＳと呼ばれ得る。ピコセルのためのＢＳは、ピコＢＳと呼ばれ得る。フェムトセルのためのＢＳは、フェムトＢＳまたはホームＢＳと呼ばれ得る。図１に示される例では、ＢＳ１１０ａは、マクロセル１０２ａのためのマクロＢＳであり得、ＢＳ１１０ｂは、ピコセル１０２ｂのためのピコＢＳであり得、ＢＳ１１０ｃは、フェムトセル１０２ｃのためのフェムトＢＳであり得る。ＢＳは、１つまたは複数（例えば、３つ）のセルをサポートし得る。「ｅＮＢ」、「基地局」、「５Ｇ  ＢＳ」、「ｇＮＢ」、「ＴＲＰ」、「ＡＰ」、「ノードＢ」、「５Ｇ  ＮＢ」、および「セル」という用語は、本明細書で交換可能に使用され得る。ＢＳは、発見基準信号、同期信号、および／または同様のものなどの、ＵＥの発見および同期のための信号を送信し得る。
【００３２】
[0043]いくつかの例では、セルは、必ずしも固定的ではなく、セルの地理的エリアは、モバイルＢＳのロケーションに従って移動し得る。いくつかの例では、ＢＳは、任意の好適なトランスポートネットワークを使用して、直接的な物理接続、仮想ネットワーク、および／または同様のものなどの、様々なタイプのバックホールインターフェースを通じて、アクセスネットワーク１００において互いに、および／または１つまたは複数の他のＢＳまたはネットワークノード（図示せず）に、相互接続され得る。
【００３３】
[0044]ワイヤレスネットワーク１００はまた、中継局を含み得る。中継局は、アップストリーム局（例えば、ＢＳまたはＵＥ）からデータの送信を受信し、ダウンストリーム局（例えば、ＵＥまたはＢＳ）にデータの送信を送り得るエンティティである。中継局はまた、他のＵＥのための送信を中継し得るＵＥであり得る。図１に示される例では、中継局１１０ｄは、ＢＳ１１０ａとＵＥ１２０ｄとの間の通信を容易にするために、マクロＢＳ１１０ａおよびＵＥ１２０ｄと通信し得る。中継局は、中継ＢＳ、中継基地局、中継器、および／または同様のものでも呼ばれ得る。
【００３４】
[0045]ワイヤレスネットワーク１００は、異なるタイプのＢＳ、例えば、マクロＢＳ、ピコＢＳ、フェムトＢＳ、中継ＢＳ、および／または同様のものを含む異種ネットワークであり得る。これらの異なるタイプのＢＳは、ワイヤレスネットワーク１００において、異なる送信電力レベル、異なるカバレッジエリア、および干渉に対する異なる影響を有し得る。例えば、マクロＢＳは、高い送信電力レベル（例えば、５〜４０ワット）を有し得、一方、ピコＢＳ、フェムトＢＳ、および中継ＢＳは、より低い送信電力レベル（例えば、０．１〜２ワット）を有し得る。
【００３５】
[0046]ネットワークコントローラ１３０が、ＢＳのセットに結合し得、これらのＢＳに対して調整および制御を提供し得る。ネットワークコントローラ１３０は、バックホールを介してＢＳと通信し得る。ＢＳはまた、例えば、ワイヤレスまたはワイヤラインバックホールを介して直接的または間接的に、互いに通信し得る。
【００３６】
[0047]ＵＥ１２０（例えば、１２０ａ、１２０ｂ、１２０ｃ）は、ワイヤレスネットワーク１００全体にわたって分散され得、各ＵＥは、固定式またはモバイルであり得る。ＵＥは、アクセス端末、端末、モバイル局、加入者ユニット、局などとも呼ばれ得る。ＵＥは、セルラフォン（例えば、スマートフォン）、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、カメラ、ゲームデバイス、ネットブック、スマートブック、ウルトラブック、医療用デバイスまたは機器、生体センサ／デバイス、ウェアラブルデバイス（スマートウォッチ、スマート衣料、スマート眼鏡、スマートリストバンド、スマートジュエリー（例えば、スマートリング、スマートブレスレット））、娯楽デバイス（例えば、音楽またはビデオデバイス、あるいは衛星ラジオ）、車両コンポーネントまたはセンサ、スマートメータ／センサ、工業生産機器、全地球測位システムデバイス、またはワイヤレスまたはワイヤード媒体を介して通信するように構成されたその他任意の好適なデバイスであり得る。
【００３７】
[0048]いくつかのＵＥは、マシンタイプ通信（ＭＴＣ）ＵＥまたは発展型もしくは拡張型マシンタイプ通信（ｅＭＴＣ）ＵＥと見なされ得る。ＭＴＣ  ＵＥおよびｅＭＴＣ  ＵＥは、基地局、別のデバイス（例えば、遠隔デバイス）、または何らかの他のエンティティと通信し得る、例えば、センサ、メータ、モニタ、ロケーションタグなどの遠隔デバイス、ドローン、ロボットなどを含む。ワイヤレスノードは、例えば、ワイヤードまたはワイヤレス通信リンクを介して、ネットワーク（例えば、セルラネットワークまたはインターネットなどのワイドエリアネットワーク）のための、またはネットワークへの接続性を提供し得る。いくつかのＵＥは、モノのインターネット（ＩｏＴ）デバイスと見なされ得、および／またはＮＢ−ＩｏＴ（狭帯域モノのインターネット）デバイスもしくはＮＢ−ＩｏＴ−Ｕ（アンライセンス）デバイスとしてインプリメントされ得るようにインプリメントされ得、これは、本明細書の他の箇所でより詳細に説明されるように、アンライセンススペクトルにおいて動作し得る。いくつかのＵＥは、カスタマ構内設備（ＣＰＥ：Customer Premises Equipment）と見なされ得る。ＵＥ１２０は、プロセッサコンポーネント、メモリコンポーネント、および／または同様のものなどの、ＵＥ１２０のコンポーネントを収容するハウジング内に含まれ得る。
【００３８】
[0049]一般に、任意の数のワイヤレスネットワークが、所与の地理的エリアにおいて展開され得る。各ワイヤレスネットワークは、特定のＲＡＴをサポートし得、１つまたは複数の周波数上で動作し得る。ＲＡＴは、無線技術、エアインターフェース、および／または同様のものでも呼ばれ得る。周波数は、キャリア、周波数チャネル、および／または同様のものでも呼ばれ得る。各周波数は、異なるＲＡＴのワイヤレスネットワーク間の干渉を回避するために、所与の地理的エリアにおいて単一のＲＡＴをサポートし得る。いくつかのケースでは、５Ｇ  ＲＡＴネットワークが展開され得る。
【００３９】
[0050]いくつかの例では、エアインターフェースへのアクセスがスケジュールされ得、ここで、スケジューリングエンティティ（例えば、基地局）が、スケジューリングエンティティのサービスエリアまたはセル内の、一部または全てのデバイスおよび機器の間での通信のためにリソースを割り振る（allocates resources for communication）。基地局は、スケジューリングエンティティとして機能し得る唯一のエンティティではない。すなわち、いくつかの例では、ＵＥが、スケジューリングエンティティとして機能し得、１つまたは複数の下位エンティティ（例えば、１つまたは複数の他のＵＥ）のためにリソースをスケジュールする。この例では、ＵＥは、スケジューリングエンティティとして機能しており、他のＵＥは、ワイヤレス通信のためにこのＵＥによってスケジュールされたリソースを利用する。ＵＥは、ピアツーピア（Ｐ２Ｐ）ネットワークにおいて、および／またはメッシュネットワークにおいて、スケジューリングエンティティとして機能し得る。メッシュネットワークの例では、ＵＥは、スケジューリングエンティティと通信することに加えて、オプションで互いに直接通信し得る。
【００４０】
[0051]したがって、時間−周波数リソースへのスケジュールされたアクセスを伴い、かつセルラ構成、Ｐ２Ｐ構成、およびメッシュ構成を有するワイヤレス通信ネットワークでは、スケジューリングエンティティおよび１つまたは複数の下位エンティティは、スケジュールされたリソースを利用して通信し得る。
【００４１】
[0052]上述されたように、図１は単なる例として提供される。他の例も可能であり、図１に関して説明されたものとは異なり得る。
【００４２】
[0053]図２は、図１の基地局のうちの１つおよびＵＥのうちの１つであり得る、ＢＳ１１０およびＵＥ１２０の設計のブロック図２００を示す。ＢＳ１１０は、Ｔ個のアンテナ２３４ａ〜２３４ｔを装備し得、ＵＥ１２０は、Ｒ個のアンテナ２５２ａ〜２５２ｒを装備し得、ここで、一般に、Ｔ≧１およびＲ≧１である。
【００４３】
[0054]ＢＳ１１０において、送信プロセッサ２２０は、１つまたは複数のＵＥのためにデータソース２１２からデータを受信し、ＵＥから受信されたチャネル品質インジケータ（ＣＱＩ）に少なくとも部分的に基づいて、各ＵＥについての１つまたは複数の変調およびコーディングスキーム（ＭＣＳ）を選択し、各ＵＥのためのデータを、そのＵＥのために選択された（１つまたは複数の）ＭＣＳに少なくとも部分的に基づいて処理（例えば、符号化および変調）し、全てのＵＥのためのデータシンボルを提供し得る。送信プロセッサ２２０はまた、（例えば、半静的なリソース区分情報（ＳＲＰＩ：semi-static resource partitioning information）、および／または同様のものについての）システム情報および制御情報（例えば、ＣＱＩ要求、許可、上位層シグナリング、および／または同様のもの）を処理し、オーバヘッドシンボルおよび制御シンボルを提供し得る。送信プロセッサ２２０はまた、基準信号（例えば、セル固有基準信号（ＣＲＳ））および同期信号（例えば、狭帯域プライマリ同期信号（ＮＰＳＳ）および狭帯域セカンダリ同期信号（ＮＳＳＳ））のための基準シンボルを生成し得る。送信（ＴＸ）多入力多出力（ＭＩＭＯ）プロセッサ２３０は、適用可能な場合、データシンボル、制御シンボル、オーバヘッドシンボル、および／または基準シンボルに対して空間処理（例えば、プリコーディング）を実行し得、Ｔ個の変調器（ＭＯＤ）２３２ａ〜２３２ｔにＴ個の出力シンボルストリームを提供し得る。各変調器２３２は、（例えば、ＯＦＤＭおよび／または同様のもののために）それぞれの出力シンボルストリームを処理して、出力サンプルストリームを取得し得る。各変調器２３２は、出力サンプルストリームをさらに処理（例えば、アナログ変換、増幅、フィルタリング、およびアップコンバート）して、ダウンリンク信号を取得し得る。変調器２３２ａ〜２３２ｔからのＴ個のダウンリンク信号は、それぞれＴ個のアンテナ２３４ａ〜２３４ｔを介して送信され得る。以下でより詳細に説明される様々な態様によれば、同期信号は、追加情報を伝達するためにロケーション符号化（location encoding）を用いて生成され得る。
【００４４】
[0055]ＵＥ１２０において、アンテナ２５２ａ〜２５２ｒは、ＢＳ１１０および／または他の基地局からのダウンリンク信号を受信し得、受信された信号を、それぞれ復調器（ＤＥＭＯＤ）２５４ａ〜２５４ｒに提供し得る。各復調器２５４は、受信された信号を調整（例えば、フィルタリング、増幅、ダウンコンバート、およびデジタル化）して、入力サンプルを取得し得る。各復調器２５４は、（例えば、ＯＦＤＭおよび／または同様のもののために）入力サンプルをさらに処理して、受信されたシンボルを取得し得る。ＭＩＭＯ検出器２５６は、全てのＲ個の復調器２５４ａ〜２５４ｒから、受信されたシンボルを取得し、適用可能な場合、受信されたシンボルに対してＭＩＭＯ検出を実行し、検出されたシンボルを提供し得る。受信（ＲＸ）プロセッサ２５８は、検出されたシンボルを処理（例えば、復調および復号）し、ＵＥ１２０のための復号されたデータをデータシンク２６０に提供し、復号された制御情報および（例えば、狭帯域マスタ情報ブロックなどのマスタ情報ブロック、システム情報ブロック、狭帯域物理ブロードキャストチャネル、および／または同様のものからの）システム情報をコントローラ／プロセッサ２８０に提供し得る。チャネルプロセッサは、基準信号受信電力（ＲＳＲＰ）、受信信号強度インジケータ（ＲＳＳＩ）、基準信号受信品質（ＲＳＲＱ）、チャネル品質インジケータ（ＣＱＩ）、および／または同様のものを決定し得る。
【００４５】
[0056]アップリンク上では、ＵＥ１２０において、送信プロセッサ２６４が、データソース２６２からのデータおよびコントローラ／プロセッサ２８０からの（例えば、ＲＳＲＰ、ＲＳＳＩ、ＲＳＲＱ、ＣＱＩ、および／または同様のものを備える報告のための）制御情報を受信および処理し得る。送信プロセッサ２６４はまた、１つまたは複数の基準信号のための基準シンボルを生成し得る。送信プロセッサ２６４からのシンボルは、適用可能な場合、ＴＸ  ＭＩＭＯプロセッサ２６６によってプリコーディングされ、（例えば、ＤＦＴ−ｓ−ＯＦＤＭ、ＣＰ−ＯＦＤＭ、および／または同様のもののために）変調器２５４ａ〜２５４ｒによってさらに処理され、ＢＳ１１０に送信され得る。ＢＳ１１０において、ＵＥ１２０および他のＵＥからのアップリンク信号は、アンテナ２３４によって受信され、復調器２３２によって処理され、適用可能な場合、ＭＩＭＯ検出器２３６によって検出され、受信プロセッサ２３８によってさらに処理されて、ＵＥ１２０によって送られた、復号されたデータおよび制御情報を取得し得る。受信プロセッサ２３８は、復号されたデータをデータシンク２３９に提供し、復号された制御情報をコントローラ／プロセッサ２４０に提供し得る。ＢＳ１１０は、通信ユニット２４４を含み、通信ユニット２４４を介してネットワークコントローラ１３０に通信し得る。ネットワークコントローラ１３０は、通信ユニット２９４、コントローラ／プロセッサ２９０、およびメモリ２９２を含み得る。
【００４６】
[0057]ＢＳ１１０のコントローラ／プロセッサ２４０、ＵＥ１２０のコントローラ／プロセッサ２８０、および／または図２のその他任意の（１つまたは複数の）コンポーネントは、本明細書の他の箇所でより詳細に説明されるように、複数のアンカーチャネルを有する狭帯域システムにおける発見基準シグナリングに関連付けられた１つまたは複数の技法を実行し得る。例えば、ＢＳ１１０のコントローラ／プロセッサ２４０、ＵＥ１２０のコントローラ／プロセッサ２８０、および／または図２のその他任意の（１つまたは複数の）コンポーネントは、例えば、図７の方法７００、図１０の方法１０００、および／または本明細書で説明される他のプロセスの動作を実行または指示し得る。メモリ２４２および２８２は、それぞれ、ＢＳ１１０およびＵＥ１２０のためのデータおよびプログラムコードを記憶し得る。スケジューラ２４６は、ダウンリンクおよび／またはアップリンク上でのデータ送信のためにＵＥをスケジュールし得る。
【００４７】
[0058]上述されたように、図２は単なる例として提供される。他の例も可能であり、図２に関して説明されたものとは異なり得る。
【００４８】
[0059]図３Ａは、ＬＴＥキャリア内のインバンド展開のためのＮＢフレーム構造（偶数無線フレーム）の例を例示する図３００である。図３Ｂは、ＬＴＥキャリア内のインバンド展開のためのＮＢフレーム構造（奇数無線フレーム）の例を例示する図３２５である。図３Ｃは、ＬＴＥキャリア内のガードバンド／スタンドアロン展開のためのＮＢフレーム構造（偶数無線フレーム）の例を例示する図３５０である。図３Ｄは、ＬＴＥキャリア内のガードバンド／スタンドアロン展開のためのＮＢフレーム構造（偶数無線フレーム）の例を例示する図３７５である。他のワイヤレス通信技術は、異なるフレーム構造および／または異なるチャネルを有し得る。フレーム（１０ｍｓ）は、１０個の等しいサイズのサブフレーム（例えば、サブフレーム０〜サブフレーム９）に分割され得る。各サブフレームは、２つの連続したタイムスロット（例えば、スロット０およびスロット１）を含み得る。リソースグリッドが２つのタイムスロットを表すために使用され得、各タイムスロットは、１８０ｋＨｚの１つまたは複数の時間的に同時並行（time concurrent）のＲＢ（物理ＲＢ（ＰＲＢ）とも呼ばれる）を含む。リソースグリッドは、複数のリソース要素（ＲＥ）に分割される。通常のサイクリックプレフィックスの場合、ＲＢは、周波数ドメインにおいて１２個の連続したサブキャリアと、時間ドメインにおいて７個の連続したシンボル（ＤＬでは直交周波数分割多重化（ＯＦＤＭ）シンボル、ＵＬではＳＣ−ＦＤＭＡシンボル）との合計８４個のＲＥを含み得る。拡張されたサイクリックプレフィックスの場合、ＲＢは、周波数ドメインにおいて１２個の連続したサブキャリアと、時間ドメインにおいて６個の連続したシンボルとの合計７２個のＲＥを含み得る。各ＲＥによって搬送されるビット数は、変調スキームに依存する。ＮＢ−ＩｏＴのインバンド展開は、ＬＴＥキャリア内のＲＢを利用し得る。ＮＢ−ＩｏＴのガードバンド展開は、ＬＴＥキャリアのガードバンド内の未使用ＲＢを利用し得る。ＮＢ−ＩｏＴのスタンドアロン展開は、モバイル通信のためのグローバルシステム（ＧＳＭ（登録商標））キャリア内のＲＢを利用し得る。
【００４９】
[0060]図３Ａ〜図３Ｄに例示されるように、サブフレームの各々におけるＲＥのうちのいくつかは、データが実際に送信されるかどうかにかかわらず、（１つまたは複数の）ブロードキャスト送信または（１つまたは複数の）専用ＤＬ送信のために使用され得るＮＢ基準信号（ＮＲＳ）を搬送する。送信スキームに依存して、ＮＲＳは、１つのアンテナポートで、または２つのアンテナポート（例えば、アンテナポート０およびアンテナポート１）で送信され得る。ＮＲＳの値は、ＬＴＥにおけるセル固有基準信号（ＣＲＳ）と同様であり得る。ＮＲＳは、ＮＢセル識別子（ＮＣｅｌｌＩＤ）を示し得、一方、ＬＴＥ  ＣＲＳは、物理セル識別子（ＰＣＩ）を示し得る。インバンド展開の場合、ＬＴＥ  ＣＲＳはまた、図３Ａおよび図３Ｂに例示されるように、マルチキャストブロードキャスト単一周波数ネットワーク（ＭＢＳＦＮ）のために使用されないサブフレームにおいて送信され得る。ＮＲＳおよびＬＴＥ  ＣＲＳの構造は、重複しない場合もあるが、ＣＲＳは、レートマッチングおよびＲＥマッピングの目的のために考慮され得る。ＤＬ送信は、ＮＲＳおよび／またはＬＴＥ  ＣＲＳに割り振られたＲＥを使用しない場合がある。
【００５０】
[0061]初期同期のために、およびＮＣｅｌｌＩＤを決定するために、狭帯域プライマリ同期信号（ＮＰＳＳ）が、偶数および奇数無線フレームのサブフレーム５において送信され得、狭帯域セカンダリ同期信号（ＮＳＳＳ）が偶数無線フレームにおけるサブフレーム９において送信され得る。インバンド展開を使用すると、サブフレーム５およびサブフレーム９の各々における最初の３つのＯＦＤＭシンボルは、ＬＴＥ物理ダウンリンク制御チャネル（ＰＤＣＣＨ）を搬送し得、したがって、サブフレーム５および９における最初の３つのＯＦＤＭシンボルは、図３Ａおよび図３Ｂに例示されるように、ＮＰＳＳおよびＮＳＳＳを搬送しない場合がある。ＮＰＳＳおよびＮＳＳＳは、インバンド展開ではＬＴＥ  ＣＲＳによってパンクチャされ得る。ガードバンド展開および／またはスタンドアロン展開を使用すると、サブフレーム５およびサブフレーム９の各々における最初の３つのＯＦＤＭシンボルは、未使用であり得、したがって、サブフレーム５および９における最初の３つのＯＦＤＭシンボルは、図３Ｃおよび図３Ｄに例示されるように、ＮＰＳＳおよびＮＳＳＳを搬送しない場合がある。
【００５１】
[0062]狭帯域物理ブロードキャストチャネル（ＮＰＢＣＨ）は、ＮＢマスタ情報ブロック（ＮＢ−ＭＩＢ）を搬送し得る。物理レイヤのベースバンド処理の後で、結果として得られるＮＢ−ＭＩＢは、８個のブロックに分割され得る。第１のブロックは、８個の連続した無線フレームのセットにおける各無線フレームのサブフレーム０において送信され得る。第２のブロックは、８個の連続した無線フレームの後続のセットにおける各無線フレームのサブフレーム０において送信され得る。ＮＢ−ＭＩＢブロック送信のプロセスは、ＮＢ−ＭＩＢ全体が送信されるまで継続され得る。全てのＮＢ−ＭＩＢブロック送信のためにサブフレーム０を使用することによって、ＮＢ−ＩｏＴのインバンド展開が使用されるとき、ＮＰＢＣＨと、潜在的なＬＴＥ  ＭＢＳＦＮ送信との間の衝突が回避され得る。図３Ａおよび図３Ｂに例示されるように、ＮＰＢＣＨシンボルは、インバンド展開の場合、ＮＲＳとＬＴＥ  ＣＲＳの周囲にマッピングされ得る。図３Ｃおよび図３Ｄに例示されるように、ＮＰＢＣＨは、ガードバンド展開および／またはスタンドアロン展開の場合、未使用のままである最初の３つのシンボルを除いて、サブフレーム０の全てを占有し得る。
【００５２】
[0063]制御チャネルおよび共有チャネルの原理は、ＮＢ−ＩｏＴにも当てはまり、ＮＢ物理ダウンリンク制御チャネル（ＮＰＤＣＣＨ）およびＮＢ物理ダウンリンク共有チャネル（ＮＰＤＳＣＨ）を定義する。全てのサブフレームが専用ＤＬチャネルの送信のために使用され得るわけではない。無線リソース制御（ＲＲＣ）シグナリングでは、ＮＰＤＣＣＨおよび／またはＮＰＤＳＣＨのための有効なサブフレームを示すビットマップが、ＵＥにシグナリングされ得る。サブフレームが有効であると示されていないとき、ＮＰＤＣＣＨおよび／またはＮＰＤＳＣＨは、次の有効なサブフレームまで延期され得る。ＮＰＤＣＣＨは、どのＵＥがＮＰＤＳＣＨに位置するデータを有するか、データがどこにあるか、およびデータが繰り返される頻度を示し得る。（１つまたは複数の）ＵＬデータ送信のためにＵＥに割り振られるＲＥを示すＵＬ許可もまた、ＮＰＤＣＣＨに位置し得る。ＮＰＤＣＣＨはまた、ページングおよび／またはシステム情報更新を搬送し得る。ＮＰＤＣＣＨシンボルおよびＮＰＤＳＣＨシンボルは、ＮＲＳの周囲、およびＮＢ−ＩｏＴのインバンド展開の場合、ＬＴＥ  ＣＲＳの周囲にもマッピングされ得る。
【００５３】
[0064]上述されたように、図３Ａ〜図３Ｄは例として提供される。他の例も可能であり、図３Ａ〜図３Ｄに関連して説明されたものとは異なり得る。
【００５４】
[0065]図４Ａは、単一のアンカーチャネルのためのＮＢ発見基準信号構造の例４００を例示する図である。図４Ａに関連して説明される送信は、基地局（例えば、ＢＳ１１０など）によって実行され得る。図４に示されるように、ＮＰＢＣＨ  ＭＩＢブロック（以下、発見基準信号（ＤＲＳ）と呼ばれる）は、一定間隔で送信され得る。例えば、ＤＲＳは、８ＳＦＮ（例えば、８０ｍｓ）の間隔で送信され得る。いくつかの態様では、ＮＰＢＣＨ  ＭＩＢブロックのＭＩＢペイロードの４つの最上位ビット（ＭＳＢ）が、同期サイクルを示し得る。例えば、ＳＦＮ＝０から開始して、８個全てのＭＩＢブロックのＭＩＢペイロードは、ＳＦＮ＃６４・ｍからＳＦＮ＃６４・ｍ＋６３まで（例えば、６４０ｍｓセグメント全体）で同じになり得る。したがって、同期ＵＥは、同期中に６４０ｍｓセグメントを識別し得る。いくつかの態様では、６４０ｍｓセグメントは、本明細書では情報ブロックサイクルと呼ばれ得る。
【００５５】
[0066]いくつかの態様では、上記で図３Ａ〜図３Ｄに関連して説明されたように、ＮＰＢＣＨ  ＭＩＢブロックは、異なる情報を含み得る。例えば、各ＭＩＢブロックは、ＭＩＢブロックに関連付けられた６４０ｍｓセグメントの部分を識別する特定の情報を含み得る。さらに、各ＮＰＢＣＨ  ＭＩＢブロックは、自己復号可能であり得る。したがって、ＵＥ１２０は、単一のＮＰＢＣＨ  ＭＩＢブロックを逆スクランブルまたは受信することに少なくとも部分的に基づいて、現在のＮＰＢＣＨ  ＭＩＢブロックおよび６４０ｍｓセグメントの現在の部分を識別し得る。
【００５６】
[0067]しかしながら、アンライセンススペクトルシステムなどの、ある特定のシステムでは、規制は、単一のアンカーチャネルのものよりも大きい最小帯域幅を必要とし得る。したがって、最小帯域幅よりも大きい帯域幅を使用する発見基準信号構造を提供することが有益であり得る。このような発見基準信号構造は、以下で説明される。
【００５７】
[0068]上述されたように、図４Ａは、例として提供される。他の例も可能であり、図４Ａに関連して説明されたものとは異なり得る。
【００５８】
[0069]図４Ｂは、本開示のある特定の態様による、基地局とＵＥとの間のアンライセンス周波数スペクトルにおける狭帯域通信のために使用され得る周波数ホッピングパターン４０１を例示する。図４Ｂに例示される周波数ホッピングパターン４０１は、ＤＴＳモードで動作する基地局（例えば、基地局１１０、装置８０２／８０２’）と、周波数ホッピングモードで動作するＵＥ（例えば、ＵＥ１２０、装置１１０２／１１０２’）との間の狭帯域通信のために使用され得る。基地局がアンライセンス周波数スペクトルにおいてＤＴＳモードで動作しているので、基地局から送られたＤＬデータは、スケジューリングの柔軟性を犠牲にして少なくとも最小帯域幅（例えば、５００ｋＨｚ）を占有する必要があり得、ＤＴＳモードに関連付けられたＰＳＤリミット（例えば、８ｄＢｍ／３ｋＨｚ）により、ＤＬデータは、３０ｄＢｍの最大ＴＸ電力で送信するために、少なくとも３ＲＢにおいて送信され得る。ＵＥがアンライセンス周波数スペクトルにおいて周波数ホッピングモードで動作しているので、ＵＥは、少なくとも最小帯域幅（例えば、１８０ｋＨｚ、２００ｋＨｚなど）をそれぞれ有するＮ≧ｘ（例えば、ｘ＝５０）のホッピング周波数において基地局にＵＬデータを送り得る。
【００５９】
[0070]ＤＴＳモードで動作する基地局は、アンライセンス周波数スペクトルの周波数ダイバーシティを活用するために、異なる周波数チャネル（例えば、アンカーチャネル４０４ａ、４０４ｂ、４０４ｃおよび非アンカーチャネル４０６ａ、４０６ｂ、４０６ｃ、４０６ｄ、４０６ｅ、４０６ｆ、４０６ｇ）の間で切り替えることによって、信号をモニタ、受信、および／または送信するために、図４Ｂに例示される周波数ホッピングパターン４０１を使用し得る。
【００６０】
[0071]各ホッピングフレーム４３０ａ、４３０ｂ、４３０ｃの開始において、基地局は、少なくとも１つのＵＥに、複数のアンカーチャネル４０４ａ、４０４ｂ、４０４ｃの各々において発見基準信号（ＤＲＳ）（例えば、ＮＰＳＳ、ＮＳＳＳ、ＮＰＢＣＨ、およびＳＩＢ−ＢＲなど）を同時並行に送信し得る。ＮＰＳＳおよびＮＳＳＳは、初期同期、セル獲得（cell acquisition）、タイミング推定、および／または周波数推定のために、ＵＥによって使用され得る。
【００６１】
[0072]各アンカーチャネル４０４ａ、４０４ｂ、４０４ｃの帯域幅が、ＵＥの受信機の帯域幅能力（例えば、１ＲＢ、１８０ｋＨｚ、２００ｋＨｚなど）に制限され得るので、ＤＴＳモードに関連付けられた帯域幅要件（例えば、１８０ｋＨｚ）が満たされ得る。非アンカーチャネル４０６ａ、４０６ｂ、４０６ｃ、４０６ｄ、４０６ｅ、４０６ｆ、４０６ｇの各々は、ＤＬデータおよびＵＬデータを通信するために使用され得る。ＵＬデータは、周波数ホッピングモードで動作するＵＥによって通信され得る。
【００６２】
[0073]アンカーチャネル４０４ａ、４０４ｂ、４０４ｃは、ＵＥに周波数ホッピングパターン４０１を示す情報を搬送するためにそれぞれ使用され得る。例えば、情報は、ホッピングフレーム４３０ａ、４３０ｂ、４３０ｃの持続時間（例えば、１６０ｍｓ、３２０ｍｓなど）、各ホッピングフレーム４３０ａ、４３０ｂ、４３０ｃにおけるＤＲＳ送信の持続時間（例えば、２個の無線フレーム、４個の無線フレームなど）、ホッピングフレーム当たりの非アンカーホッピングチャネルの数Ｍ（例えば、図４ＢではＭ＝３）、非アンカーホッピングチャネルでの持続時間（例えば、１４個の無線フレーム、２８個の無線フレームなど）、（１つまたは複数の）ＤＬデータ送信の持続時間（例えば、７個の無線フレーム、１４個の無線フレームなど）、（１つまたは複数の）ＵＬデータ送信の持続時間（例えば、７個の無線フレーム、１４個の無線フレームなど）、各ホッピングフレーム４３０ａ、４３０ｂ、４３０ｃ内のＭ個の非アンカーチャネルの各々の間のチャネルオフセット、隣接するホッピングフレームに位置するＭ個の非アンカーチャネルに関連付けられたチャネルオフセット、Ｍ個のキャリアへのＭ個の非アンカーチャネルのグループ分け、Ｍ個のキャリアの各々における非アンカーチャネルに関連付けられた固定オフセットなどを示し得る。広帯域チャネル内の狭帯域チャネルの最大数（例えば、１００個の狭帯域チャネル）のうち、情報はまた、基地局とＵＥとの間の通信が狭帯域チャネルの最大数のサブセット（例えば、１００個の狭帯域チャネルのうち５０個）上で行われ得ることを示し得る。
【００６３】
[0074]図４Ｂに例示される例では、周波数ホッピングパターン４０１は、各々が複数のアンカーチャネル（例えば、３つのアンカーチャネル）と複数の非アンカーチャネル（例えば、Ｎ個の非アンカーチャネル）とを含む複数のホッピングフレーム４３０ａ、４３０ｂ、４３０ｃを含み得る。第１のホッピングフレーム４３０ａは、アンカーチャネル４０４ａ、４０４ｂ、４０４ｃ、第１の非アンカーチャネル４０６ａ、第２の非アンカーチャネル４０６ｂ、および第３の非アンカーチャネル４０６ｃを含み得る。第２のホッピングフレーム４３０ｂは、アンカーチャネル４０４ａ、４０４ｂ、４０４ｃ、第２の非アンカーチャネル４０６ｂ、第３の非アンカーチャネル４０６ｃ、および第４の非アンカーチャネル４０６ｄを含み得る。第３のホッピングフレーム４３０ｃは、アンカーチャネル４０４ａ、４０４ｂ、４０４ｃと、第（Ｎ−２）の非アンカーチャネル４０４ｅ、第（Ｎ−１）の非アンカーチャネル４０４ｆ、および第Ｎの非アンカーチャネル４０４ｇと含み得る。ある特定の構成では、特定のホッピングフレームに位置する非アンカーホッピングチャネルは、広帯域内の連続した非アンカーホッピングチャネルであり得る。ある特定の他の構成では、特定のホッピングフレームに位置する非アンカーホッピングチャネルは、広帯域内の不連続の非アンカーホッピングチャネルであり得る。ある特定の他の構成では、アンカーチャネル４０４ａ、４０４ｂ、４０４ｃは、広帯域内の連続したチャネルであり得る。ある特定の他の構成では、アンカーチャネル４０４ａ、４０４ｂ、４０４ｃは、広帯域内の非連続チャネルであり得る。
【００６４】
[0075]ある特定の構成では、複数のホッピングフレーム４３０ａ、４３０ｂ、４３０ｃにわたるＮ個の非アンカーチャネルの各々は、Ｍ個のキャリアにグループ分けされ得る。Ｍ個のキャリア（例えば、キャリア０（ＣＡ０）、キャリア１（ＣＡ１）、およびキャリア２（ＣＡ２）、ここで、Ｍ＝３）の各々は、複数のホッピングフレーム４３０ａ、４３０ｂ、４３０ｃにわたる非アンカーチャネルのセットを占有し得る。図４Ｂに例示される例では、ＣＡ０は、第１のホッピングフレーム４３０ａにおける第１の非アンカーチャネル４０６ａ、第２のホッピングフレーム４３０ｂにおける第２の非アンカーチャネル４０６ｂ、および第３のホッピングフレーム４３０ｃにおける第（Ｎ−２）の非アンカーチャネル４０６ｅを占有し得る。また、図４Ｂに例示される例に見られるように、ＣＡ１は、第１のホッピングフレーム４３０ａにおける第２の非アンカーチャネル４０６ｂ、第２のホッピングフレーム４３０ｂにおける第３の非アンカーチャネル４０６ｃ、および第３のホッピングフレーム４３０ｃにおける第（Ｎ−１）の非アンカーチャネル４０６ｆを占有し得る。また、図４Ｂに例示さえる例に見られるように、ＣＡ２は、第１のホッピングフレーム４３０ａにおける第３の非アンカーチャネル４０６ｃ、第２のホッピングフレーム４３０ｂにおける第４の非アンカーチャネル４０６ｄ、および第３のホッピングフレーム４３０ｃにおける第Ｎの非アンカーチャネル４０６ｇを占有し得る。
【００６５】
[0076]例として、Ｎ＝８のとき、ＣＡ０は、非アンカーチャネルホッピングシーケンス［１，２，６］に関連付けられ得、ＣＡ１は、非アンカーチャネルホッピングシーケンス［２，３，７］に関連付けられ、ＣＡ２は、非アンカーチャネルホッピングシーケンス［３，４，８］に関連付けられる。換言すれば、非アンカーチャネルホッピングシーケンスは、異なるホッピングフレームにおける非アンカーチャネル間の異なる固定オフセットを有する疑似ランダムホッピングシーケンスであり得る。例えば、第１のホッピングフレーム４３０ａにおけるキャリアの第１の非アンカーチャネルと、第２のホッピングフレーム４３０ｂにおける同じキャリアの第２の非アンカーチャネルとの間の固定オフセットは、１つの非アンカーチャネルであり、第２のホッピングフレーム４３０ｂにおける同じキャリアの第２の非アンカーホッピングチャネルと、第３のホッピングフレーム４３０ｃにおける同じキャリアの第３の非アンカーキャリアとの間の固定オフセットは、４つの非アンカーホッピングチャネルである。
【００６６】
[0077]Ｍ個のキャリアの各々は、同じまたは異なるＵＥにサービス提供し得る。ある特定の構成では、ＣＡ０、ＣＡ１、およびＣＡ２は、それぞれＵＥ０にサービス提供し得る。ある特定の他の構成では、ＣＡ０およびＣＡ１は、ＵＥ０にサービス提供し得、ＣＡ２は、ＵＥ１にサービス提供し得る。ある特定の他の構成では、ＣＡ０は、ＵＥ０にサービス提供し得、ＣＡ１は、ＵＥ１にサービス提供し得、ＣＡ２は、ＵＥ２にサービス提供し得る。
【００６７】
[0078]ある特定の態様では、Ｍ個のキャリアの各々は、同じフレーム構造を有し得る。図４Ｂにおいて、および参照番号４１０によって示されるように、ＣＡ０上のダウンリンク（ＤＬ）データは、第１の塗りつぶしパターンによって示される部分において提供され得る。参照番号４１２によって示されるように、ＵＥ０のためのＣＡ０上のＵＬデータは、第２の塗りつぶしパターンによって示される部分において提供され得る。参照番号４１４によって示されるように、ＣＡ１上のＤＬデータは、第３の塗りつぶしパターンによって示される部分において提供され得る。参照番号４１６によって示されるように、ＵＥ１のためのＣＡ１上のＵＬデータは、第４の塗りつぶしパターンによって示される部分において提供され得る。参照番号４１８によって示されるように、ＣＡ２上のＤＬデータは、第５の塗りつぶしパターンによって示される部分において提供され得る。参照番号４２０によって示されるように、ＵＥ２のためのＣＡ２上のＵＬデータは、第６の塗りつぶしパターンによって示される部分において提供され得る。
【００６８】
[0079]ある特定の構成では、ＣＡ０、ＣＡ１、およびＣＡ２のためのＤＬデータ部分は、それぞれ、ＵＥ０、ＵＥ１、およびＵＥ２に送信されるＤＬデータに関連付けられ得る。換言すれば、ＵＥ０、ＵＥ１、およびＵＥ２のためのＤＬデータ部分におけるＤＬデータは、時間領域において同時並行に送信され得る。
【００６９】
[0080]ある特定の他の構成では、ＤＬデータ部分の各々の第１の持続時間４４０ａは、ＵＥ０に送信されるＤＬデータのためにリザーブされ得、ＤＬデータ部分の各々の第２の持続時間４４０ｂは、ＵＥ１に送信されるＤＬデータのためにリザーブされ得、ＤＬデータ部分の各々の第３の持続時間４４０ｃは、ＵＥ２に送信されるＤＬデータのためにリザーブされ得る。換言すれば、ＵＥ０、ＵＥ１、およびＵＥ２のためのＤＬデータは、Ｍ個のキャリアの各々において時分割多重化（ＴＤＭ）され得る。
【００７０】
[0081]ある特定の他の構成では、Ｍ個のキャリアの各々の総帯域幅は、帯域幅しきい値（例えば、１８０ｋＨｚ、２００ｋＨｚ、１ＲＢなど）を満たし得る。換言すれば、基地局は、ＤＬ帯域幅が少なくとも５００ｋＨｚ（例えば、ＤＴＳモードのための最小帯域幅要件）であることを確実にするために、１つまたは複数のＵＥのためにＭ個のキャリアの各々上でＤＬデータを同時並行にスケジュールし得る。基地局が、複数のＵＥの代わりに単一のＵＥのためにスケジュールすべきＤＬデータを有し、単一のＵＥがＭ個のキャリアの全てによってサービス提供されるわけではないとき、ＤＬデータは、Ｍ個のキャリアの第１のキャリア（例えば、図４ＢのＣＡ０）上で送信され得、最小ＤＬ帯域幅が少なくとも５００ｋＨｚであることを確実にするために、ＤＬデータの再送信が、Ｍ個のキャリアの残りのキャリア（例えば、図４ＢのＣＡ１およびＣＡ２）上で送信され得る。ある特定の他の構成では、スケジュールされるべきＤＬデータがないとき、基地局は、帯域幅しきい値を満たすために、Ｍ個のキャリアの各々上でリザベーション信号を送り得る。単一のＵＥのケースまたはスケジュールすべきＤＬデータがないケースでは、基地局における電力消費は、複数のキャリア上でＤＬデータ送信を繰り返すために、または複数のキャリア上でリザベーション信号を送信するために増大され得る。
【００７１】
[0082]図４Ｂに関して上記で説明された技法を使用して、本開示の狭帯域システムは、基地局がＤＴＳモードで動作するとき、ＤＬデータのためのＰＳＤリミットおよび帯域幅しきい値を満たすこと、および、ＵＥが周波数ホッピングモードで動作するとき、ＵＬデータのためのホッピング周波数の最小数を満たすことが可能になり得る。
【００７２】
[0083]上述されたように、図４Ｂは、例として提供される。他の例は、図４Ｂに関連して説明されたものとは異なり得る。
【００７３】
[0084]図５は、狭帯域システムにおける複数のアンカーチャネルのための同期サイクルの例５００を例示する図である。例５００において、ＢＳ１１０（図示せず）は、少なくとも１つのＵＥ１２０（同じく図示せず）に複数のアンカーチャネルを送信し得る。例５００において、および参照番号５０５によって示されるように、複数のアンカーチャネルは、ホッピングフレーム（例えば、Ｍ−フレームとして示される）に対応する１６個のサブフレーム（例えば、１６０ｍｓ）ごとに送信される。本明細書で使用される場合、ホッピングフレームは、１６０ｍｓ、３２０ｍｓ、ＮＢ−ＩｏＴ−ｕフレーム（ｎ−フレーム）、ＭＴＣフレーム（ｍ−フレーム）と同じ長さ、および／または同様のものであり得る。示されるように、複数のアンカーチャネルの各送信は、第１のアンカーチャネル５１０、第２のアンカーチャネル５１５、および第３のアンカーチャネル５２０を含む。いくつかの態様では、複数のアンカーチャネルは、２つのアンカーチャネル、４つのアンカーチャネル、６つのアンカーチャネル、または異なる数のアンカーチャネルなどの、異なる数のアンカーチャネルを含み得る。ＢＳ１１０は、（例えば、アンライセンススペクトル、デジタル送信要件、および／または同様のものに関連付けられた）最小帯域幅が満たされるように、複数のアンカーチャネルを送信し得る。例えば、各アンカーチャネルは、１つのリソースブロック（例えば、ＲＢ）を含み得る。いくつかの態様では、各アンカーチャネルは、５００ｋＨｚの最小帯域幅が、複数のアンカーチャネルについて満たされるように、約１８０ｋＨｚ、２００ｋＨｚ、および／または同様の帯域幅を有し得る。複数のアンカーチャネルの最も左の送信の上に示されるように、いくつかの態様では、複数のアンカーチャネルの各送信は、長さが約２０ｍｓであり得る。いくつかの態様では、複数のアンカーチャネルの送信は、２０ｍｓよりも長くも短くもなり得る。
【００７４】
[0085]参照番号５２５によって示されるように、少なくとも１つの同期信号（例えば、ＮＰＳＳおよび／またはＮＳＳＳ）は、複数のアンカーチャネルの各送信の第１のアンカーチャネルに含まれ得る。ここで、第１のアンカーチャネルは、一番上のアンカーチャネル（例えば、チャネル５１０）として示される。しかしながら、少なくとも１つの同期信号は、複数のアンカーチャネルのうちの任意のアンカーチャネルに含まれ得る。いくつかの態様では、少なくとも１つの同期信号は、複数のアンカーチャネルの各送信において（例えば、周波数の観点から）同じアンカーチャネルに含まれ得る。いくつかの態様では、少なくとも１つの同期信号は、複数のアンカーチャネルの２つ以上の送信において（例えば、周波数の観点から）異なるアンカーチャネルに含まれ得る。
【００７５】
[0086]参照番号５３０によって示されるように、いくつかの態様では、第１のアンカーチャネルは、１つまたは複数のＮＰＢＣＨ、および／または、１つまたは複数のＭＩＢを含み得る。例えば、ＳＦＮ０における第１のアンカーチャネルの第１の送信は、ＭＩＢ０および１を含むＮＰＢＣＨを含む。ＭＩＢ０および１は、上記で図４Ａに関連して説明された自己復号可能ブロック０および１に対応し得る。図４Ａの自己復号可能ブロック０および１は、図４Ａに示されるセグメントの最初の１６個のサブフレームに含まれることに留意されたい。ＭＩＢ０および１は、ＵＥ１２０がＭＩＢ０および１に少なくとも部分的に基づいてタイミング情報を決定し得るように、自己復号可能ブロック０および１と同様にスクランブルされ得る。同様に、ＳＦＮ１６における第１のアンカーチャネルの第２の送信は、ＭＩＢ２および３を含み、以下同様である。いくつかの態様では、第１のＭＩＢ（例えば、ＭＩＢ０、ＭＩＢ２など）は、第２のＭＩＢ（例えば、ＭＩＢ１、ＭＩＢ３など）と交互になり得る。追加または代替として、第１のアンカーチャネルは、第１のＭＩＢおよび第２のＭＩＢの単一の送信を含み得る。追加または代替として、第１のアンカーチャネルは、第１のＭＩＢの複数の連続した送信と、第２のＭＩＢの複数の連続した再送信とを含み得る。いくつかの態様では、ＳＦＮ＝６４・ｍ〜６４・ｍ＋６３（すなわち、ＳＦＮ＝０に対してｍ番目の６４０ｍｓセグメント）では、ＭＩＢペイロードは、０番目のホッピングフレームの開始において決定され得、ＭＩＢのＳＦＮインデックスは、ＳＦＮ＝６４ｍの４つの最上位ビット（ＭＳＢ）のビットであり得る。
【００７６】
[0087]参照番号５３５によって示されるように、いくつかの態様では、第２のアンカーチャネルは、１つまたは複数のＮＰＢＣＨ、および／または、１つまたは複数のＭＩＢを含み得る。例えば、ＳＦＮ０における第２のアンカーチャネルの第１の送信は、ＭＩＢ０および１を含むＮＰＢＣＨを含む。ＭＩＢ０および１は、上記で図４Ａに関連して説明された自己復号可能ブロック０および１に対応し得る。例えば、ＭＩＢ０および１は、ＵＥ１２０がＭＩＢ０および１に少なくとも部分的に基づいてタイミング情報を決定し得るように、自己復号可能ブロック０および１と同様にスクランブルされ得る。同様に、ＳＦＮ１６における第２のアンカーチャネルの第２の送信は、ＭＩＢ２および３を含み、以下同様である。いくつかの態様では、第１のＭＩＢ（例えば、ＭＩＢ０、ＭＩＢ２など）は、第２のＭＩＢ（例えば、ＭＩＢ１、ＭＩＢ３など）と交互になり得る。追加または代替として、第２のアンカーチャネルは、第１のＭＩＢおよび第２のＭＩＢの単一の送信を含み得る。追加または代替として、第２のアンカーチャネルは、第１のＭＩＢの複数の連続した送信と、第２のＭＩＢの複数の連続した再送信とを含み得る。
【００７７】
[0088]参照番号５４０によって示されるように、いくつかの態様では、第３のアンカーチャネルは、１つまたは複数のＮＰＢＣＨ、および／または、１つまたは複数のＭＩＢを含み得る。これは、上記で説明された第２のアンカーチャネルと同様であり得る。各アンカーチャネルの周波数は、同期動作が実行される前に、ＵＥ１２０に既知であり得る。
【００７８】
[0089]いくつかの態様では、（参照番号５４０によって示される）第３のアンカーチャネルは、システム情報ブロック（ＳＩＢ）（図示せず）を含み得る。例えば、第３のアンカーチャネルは、ＳＩＢ−ａまたは異なるタイプのＳＩＢを含み得る。いくつかの態様では、ＳＩＢは、ＵＥ１２０のための周波数ホッピング情報を記憶し得る。例えば、ＵＥ１２０は、周波数ホッピングホワイトリストに少なくとも部分的に基づいて、周波数ホッピングを実行し得る。ＳＩＢは、周波数ホッピングホワイトリストを記憶し得る。ＵＥ１２０は、周波数ホッピングホワイトリストを決定するためにＳＩＢを使用し得、これにより、ＵＥ１２０は、少なくとも１つの同期信号、ＮＰＢＣＨ、および／またはＳＩＢに少なくとも部分的に基づいて、ＢＳ１１０と通信し得る。いくつかの態様では、周波数ホッピングホワイトリストは、ＭＩＢにおいて伝達され得る。このようなケースでは、ＭＩＢおよび対応するＮＰＤＳＣＨは、ＴＢＣＣ（テールバイティング畳込みコーディング（tail biting convolutional coding））を使用し得、これは、周波数ホッピングホワイトリストとＭＩＢが一緒に符号化される場合、巡回冗長検査ビットを節約し得る。いくつかの態様では、周波数ホッピングホワイトリストは、最後のアンカーチャネル、最後から２番目（next-to-last）のアンカーチャネル、および／または同様のものにおいて送信され得る。いくつかの態様では、周波数ホッピングホワイトリストは、任意のアンカーチャネルにおいて送信され得る。
【００７９】
[0090]いくつかの態様では、（参照番号５２５によって示される）少なくとも１つの同期信号は、複数のアンカーチャネルの構成を示し得る。例えば、ＮＢ−ＩｏＴ−ｕ（例えば、アンライセンススペクトルにおけるＮＢ−ＩｏＴ）は、異なる地域において異なる数のアンカーチャネルを必要とし得る（例えば、米国では少なくとも３つのアンカーチャネル、および欧州連合では１つのアンカーチャネルであるが、これらは単なる例として提供されている）。ＢＳ１１０は、複数のアンカーチャネルの構成を示すための少なくとも１つの同期信号を決定し得る。したがって、ＵＥ１２０は、ブラインドサーチを回避するために、第１のアンカーチャネル上で同期を実行しながら構成を決定し得る。
【００８０】
[0091]いくつかの態様では、複数のアンカーチャネルの第１の送信上のＤＲＳ（例えば、ＮＰＳＳおよび／またはＮＳＳＳ）は、構成を提供するために使用され得る。これは、ＵＥ１２０が、ＭＩＢを使用するよりも迅速に構成を決定することを可能にし得、ＭＩＢを使用するよりも信頼性が高くなり得る。いくつかの態様では、ＢＳ１１０は、構成を伝達するために、ＮＳＳＳに適用される時間領域サイクリックシフトを使用し得る。例えば、単一のアンカーキャリアに関連付けられたＮＳＳＳは、８０ｍｓの持続時間内の２０ｍｓセグメントを示すために、またはＳＦＮの第２および第３の最下位ビットをシグナリングするために、４つの時間領域サイクリックシフト（ｌ＝０，３３，６６，９９）を使用し得る。ＮＢ−ＩｏＴ−ｕでは、ＤＲＳは、（例えば、ホッピングフレーム長に従って）１６０ｍｓまたは３２０ｍｓの期間を有し、したがって、ＮＳＳＳのサイクリックシフトは、２０ｍｓセグメントを示すために使用されない場合がある。本明細書で説明される技法および装置は、複数のアンカーチャネルの構成を示すために、サイクリックシフトの４つの可能性のある値を使用し得る。例えば、サイクリックシフトの１つまたは複数の値は、複数のアンカーチャネルのうちのアンカーチャネルの数を示し得るか、または（例えば、複数のアンカーチャネルの代わりに）単一のアンカーチャネルが使用されるべきであることを示し得る。追加または代替として、サイクリックシフトの１つまたは複数の値が、特定のアンカーチャネルがＮＰＢＣＨ／ＭＩＢまたはＳＩＢを含むべきかどうかを示し得る。このようにして、ＢＳ１１０は、ＮＰＳＳを使用して、ＵＥ１２０に（１つまたは複数の）アンカーチャネルの構成をシグナリングし得、これは、アンカーチャネルの他の部分のリソースを節約し、効率的な同期を可能にする。
【００８１】
[0092]上述されたように、図５は、例として提供される。他の例も可能であり、図５に関連して説明されたものとは異なり得る。
【００８２】
[0093]図６は、複数のアンカーチャネルによる同期の例６００を例示する図である。
【００８３】
[0094]図６において、および参照番号６１０によって示されるように、ＢＳ１１０は、複数のアンカーチャネルを決定し得る。さらに示されるように、複数のアンカーチャネルは、少なくとも１つの同期信号（例えば、ＮＰＳＳおよびＮＳＳＳ）、ＮＰＢＣＨ（これは、ＭＩＢを含み得る）、およびＳＩＢ−ａを含み得る。例えば、ＳＩＢ−ａは、周波数ホッピングホワイトリストおよび／または他の情報を搬送し得る。いくつかの態様では、少なくとも１つの同期信号は、複数のアンカーチャネルのための構成を示し得る。複数のアンカーチャネルは、図４Ａ、図４Ｂ、および図５に関連してより詳細に上記で説明された。
【００８４】
[0095]参照番号６２０によって示されるように、ＢＳ１１０は、複数のアンカーチャネルを同時に送信し得る。例えば、示されるように、ＢＳ１１０は、各ホッピングフレームの始まりにおいて（例えば、１６０ｍｓごとに、３２０ｍｓごとになど）、複数のアンカーチャネルを送信し得る。いくつかの態様では、ＢＳ１１０は、少なくとも１つのＵＥ（例えば、ＵＥ１２０）に複数のアンカーチャネルを同時に送信し得る。
【００８５】
[0096]参照番号６３０によって示されるように、ＵＥ１２０は、第１のアンカーチャネル上で少なくとも１つの同期信号を受信し得る。例えば、ＵＥ１２０は、ＵＥ１２０の同期プロシージャの一部として第１のアンカーチャネルを受信し得る。同期プロシージャを実行するために、初期同期において、ＵＥ１２０は、ＮＰＳＳおよびＮＳＳＳをサーチし、第１のアンカーチャネルにおけるＮＰＢＣＨを復号し得る。いくつかの態様では、ＵＥ１２０は、本明細書の他の箇所でより詳細に説明されるように、ＮＰＳＳおよび／またはＮＳＳＳに少なくとも部分的に基づいて、複数のアンカーチャネルのための構成を決定し得る。
【００８６】
[0097]参照番号６４０によって示されるように、ＵＥ１２０は、第２のアンカーチャネルにおいてＮＰＢＣＨを受信し得る。例えば、ＵＥ１２０が第１のアンカーチャネルにおいてＮＰＢＣＨを受信しない場合、ＵＥ１２０は、第２のアンカーチャネルにおいてＮＰＢＣＨを受信し得る。追加または代替として、ＵＥ１２０は、ＮＰＢＣＨが第１のアンカーチャネルにおいて成功裏に受信されないとき、（例えば、次のフレームまたはｍ−フレームの始まりにおいて）第２のアンカーチャネルにチューニングし得る。いくつかの態様では、ＵＥ１２０が第２のアンカーチャネルにおいてＮＰＢＣＨを成功裏に復号しない場合、ＵＥ１２０は、第３のアンカーチャネルにチューニングし、第３のアンカーチャネルにおいてＮＰＢＣＨを復号することを試み得、以下同様である。このようにして、複数のアンカーチャネルの同時送信は、アンカーチャネルの周波数ダイバーシティを改善し、それによって、同期の成功の可能性を増大させる。
【００８７】
[0098]参照番号６５０によって示されるように、ＵＥ１２０は、第３のアンカーチャネル上でＳＩＢ−ａを受信し得、ＳＩＢ−ａに少なくとも部分的に基づいて、周波数ホッピングホワイトリストを決定し得る。参照番号６６０によって示されるように、ＵＥ１２０は、周波数ホッピングホワイトリストに少なくとも部分的に基づいて、ＢＳ１１０と通信し得る。例えば、ＵＥ１２０は、第１のセットの周波数にチューニングし得、第１のセットの周波数に関連付けられたキャリア上でトラフィックを送信および／または受信し得る。その後、ＵＥ１２０は、複数のアンカーチャネルの第２の送信を受信するために、チューニングバック（tune back）し得る。次に、ＵＥ１２０は、第２のセットの周波数（例えば、これは、第１のセットの周波数と同じであるか、または異なり得る）に関連付けられたキャリア上でトラフィックを送信および／または受信するために、第２のセットの周波数にチューニングし得、以下同様である。
【００８８】
[0099]上述されたように、図６は、例として提供される。他の例も可能であり、図６に関して説明されたものとは異なり得る。
【００８９】
[00100]図７は、ワイヤレス通信の方法７００のフローチャートである。方法は、基地局（例えば、図１のＢＳ１１０、装置８０２／８０２’、および／または同様のもの）によって実行され得る。
【００９０】
[00101]７１０において、基地局は、（例えば、コントローラ／プロセッサ２４０および／または同様のものを使用して）複数のアンカーチャネルを決定し得る。例えば、基地局は、複数のアンカーチャネルを決定（例えば、生成、マッピング、符号化など）し得る。いくつかの態様では、複数のアンカーチャネルは、互いに隣接し得る。いくつかの態様では、複数のアンカーチャネルのうちのいくつかは、互いに隣接していない場合がある。いくつかの態様では、複数のアンカーチャネルは、（例えば、アンライセンススペクトルについて）要求される最小帯域幅を満たす帯域幅を集合的に占有し得る。いくつかの態様では、複数のアンカーチャネルのうちの第１のアンカーチャネルが、（例えば、ＮＳＳＳおよび／または同様のものを使用して）複数のアンカーチャネルのための構成を示し得る。いくつかの態様では、複数のアンカーチャネルのうちの少なくとも２つのアンカーチャネルが、ブロードキャストチャネルまたは情報ブロックのうちの少なくとも１つを含み得る。
【００９１】
[00102]７２０において、基地局は、（例えば、コントローラ／プロセッサ２４０、送信プロセッサ２２０、ＴＸ  ＭＩＭＯプロセッサ２３０、ＭＯＤ２３２、アンテナ２３４、および／または同様のものを使用して）少なくとも１つのＵＥに複数のアンカーチャネルを同時に送信し得る。例えば、基地局は、複数のアンカーチャネルを同時に送信し得る。いくつかの態様では、基地局は、複数のアンカーチャネルの第１の送信を実行し得る。例えば、基地局は、以下でより詳細に説明されるように、（例えば、ホッピングフレームの始まりにおいて）複数のアンカーチャネルを繰り返し送信し得る。
【００９２】
[00103]７３０において、基地局は、（例えば、コントローラ／プロセッサ２４０、送信プロセッサ２２０、ＴＸ  ＭＩＭＯプロセッサ２３０、ＭＯＤ２３２、アンテナ２３４、および／または同様のものを使用して）複数のアンカーチャネルに少なくとも部分的に基づいて、少なくとも１つのＵＥと通信し得る。例えば、基地局は、複数のアンカーチャネルに少なくとも部分的に基づいて、ＵＥとの同期を容易にし得る。追加または代替として、基地局は、周波数ホッピングに少なくとも部分的に基づいて、少なくとも１つのＵＥと通信し得、少なくとも１つのＵＥのための周波数ホッピング情報は、複数のアンカーチャネルにおいて基地局によって提供され得る。
【００９３】
[00104]７４０において、基地局は、（例えば、コントローラ／プロセッサ２４０、送信プロセッサ２２０、ＴＸ  ＭＩＭＯプロセッサ２３０、ＭＯＤ２３２、アンテナ２３４、および／または同様のものを使用して）オプションで、第２の送信において、複数のアンカーチャネルを同時に送信し得る。例えば、基地局は、複数のアンカーチャネルの第２の送信を実行し得る。第２の送信は、第１の送信とは異なり得る。例えば、第２の送信は、第１の送信とは異なるＮＰＢＣＨ、異なるＭＩＢ、および／または同様のものを含み得る。
【００９４】
[00105]方法７００は、以下で説明される任意の単一の態様または複数の態様の任意の組合せなどの、および／または、本明細書の他の箇所で説明される１つまたは複数の他のプロセスに関連した、追加の態様を含み得る。
【００９５】
[00106]いくつかの態様では、第１のアンカーチャネルは、ブロードキャストチャネルまたは情報ブロックのうちの少なくとも１つを含む、少なくとも２つのアンカーチャネルのうちの１つである。いくつかの態様では、複数のアンカーチャネルは、第１の送信において同時に送信され、基地局は、第１の送信の後の第２の送信において、複数のアンカーチャネルを同時に送信し得る。いくつかの態様では、第１の送信は、第１のホッピングフレーム中にあり、第２の送信は、第２のホッピングフレーム中にある。いくつかの態様では、第１の送信に含まれる情報ブロックは、情報ブロックサイクルの第１の情報ブロックおよび第２の情報ブロックを含み、ここにおいて、第２の送信に含まれる情報ブロックは、情報ブロックサイクルの第３の情報ブロックおよび第４の情報ブロックである。いくつかの態様では、複数のアンカーチャネルは、周期的にまたは繰り返し送信される。いくつかの態様では、情報ブロックは、自己復号可能マスタ情報ブロックを含む。いくつかの態様では、少なくとも１つの同期信号、ブロードキャストチャネル、または情報ブロックのうちの少なくとも１つが、発見基準信号である。いくつかの態様では、複数のアンカーチャネルは、発見基準信号チャネルを備える。いくつかの態様では、情報ブロックは、少なくとも１つのＵＥのための周波数ホッピングホワイトリストを識別する。
【００９６】
[00107]いくつかの態様では、少なくとも１つの同期信号は、第１のアンカーチャネルにおいて送信され、情報ブロックは、第１の情報ブロックであり、複数のアンカーチャネルのうちの第２のアンカーチャネルにおいて送信され、マスタ情報ブロックを備える第２の情報ブロックは、複数のアンカーチャネルのうちの第３のアンカーチャネルにおいてブロードキャストチャネルとともに送信される。いくつかの態様では、少なくとも１つの同期信号は、複数のアンカーチャネルの構成を示す。いくつかの態様では、少なくとも１つの同期信号は、少なくとも１つの同期信号のサイクリックシフトに少なくとも部分的に基づいて、複数のアンカーチャネルの構成を示す。
【００９７】
[00108]図７は、ワイヤレス通信の方法の例となるブロックを示すが、いくつかの態様では、方法は、図７に示されるものと比べて、異なって配置されたブロック、異なるブロック、より少ないブロック、または追加のブロックを含み得る。追加または代替として、図７に示される２つ以上のブロックが並列に実行され得る。
【００９８】
[00109]図８は、例となる装置８０２における異なるモジュール／手段／コンポーネント間のデータフローを例示する概念的なデータフロー図８００である。装置８０２は、ｅＮＢまたはｇＮＢ（例えば、ＢＳ１１０）などの基地局であり得る。いくつかの態様では、装置８０２は、受信モジュール８０４、決定モジュール８０６、および／または送信モジュール８０８を含む。
【００９９】
[00110]受信モジュール８０４は、ワイヤレス通信デバイス８５０（例えば、ＵＥ１２０、装置１１０２／１１０２’、および／または同様のもの）から信号８１０を受信し得る。信号８１０は、通信、同期情報、および／または同様のものを含み得る。例えば、受信モジュール８０４および／または送信モジュール８０８は、複数のアンカーチャネルに少なくとも部分的に基づいて、少なくとも１つのＵＥ（例えば、ワイヤレス通信デバイス８５０）と通信し得る。
【０１００】
[00111]決定モジュール８０６は、複数のアンカーチャネルを決定し得、ここにおいて、複数のアンカーチャネルのうちの第１のアンカーチャネルは、少なくとも１つの同期信号を含み、ここにおいて、複数のアンカーチャネルのうちの少なくとも２つのアンカーチャネルは、ブロードキャストチャネルまたは情報ブロックのうちの少なくとも１つを含む。決定モジュールは、送信モジュール８０８にデータ８１２を提供し得る。
【０１０１】
[00112]送信モジュール８０８は、データ８１２に少なくとも部分的に基づいて、信号８１４を送信し得る。信号８１４は、複数のアンカーチャネル（例えば、複数のアンカーチャネルの少なくとも１つの送信）を搬送し得る。例えば、送信モジュール８０８は、少なくとも１つのＵＥに複数のアンカーチャネルを同時に送信し得る。
【０１０２】
[00113]装置は、図７の前述された方法７００および／または同様のものにおけるアルゴリズムのブロックの各々を実行する追加のモジュールを含み得る。したがって、図７の前述された方法７００および／または同様のものにおける各ブロックは、モジュールによって実行され得、装置は、それらのモジュールのうちの１つまたは複数を含み得る。モジュールは、述べられたプロセス／アルゴリズムを行うように特に構成された１つまたは複数のハードウェアコンポーネントであるか、述べられたプロセス／アルゴリズムを実行するように構成されたプロセッサによってインプリメントされるか、プロセッサによるインプリメンテーションのためにコンピュータ可読媒体内に記憶されるか、またはこれらの何らかの組合せであり得る。
【０１０３】
[00114]図８に示されるモジュールの数および配置は、例として提供される。実際には、図８に示されるものと比べて、異なって配置されたモジュール、異なるモジュール、より少ないモジュール、または追加のモジュールが存在し得る。さらに、図８に示される２つ以上のモジュールは、単一のモジュール内でインプリメントされ得、または図８に示される単一のモジュールは、複数の分散されたモジュールとしてインプリメントされ得る。追加または代替として、図８に示されるモジュールのセット（例えば、１つまたは複数のモジュール）は、図８に示されるモジュールの別のセットによって実行されるものとして説明される１つまたは複数の機能を実行し得る。
【０１０４】
[00115]図９は、処理システム９０２を用いる装置８０２’のためのハードウェアインプリメンテーションの例を例示する図９００である。装置８０２’は、ｅＮＢまたはｇＮＢなどの基地局であり得る。
【０１０５】
[00116]処理システム９０２は、概してバス９０４によって表される、バスアーキテクチャを用いてインプリメントされ得る。バス９０４は、処理システム９０２の特定のアプリケーションおよび全体的な設計制約に依存して、任意の数の相互接続バスおよびブリッジを含み得る。バス９０４は、プロセッサ９０６、モジュール８０４、８０６、８０８、およびコンピュータ可読媒体／メモリ９０８によって表される、１つまたは複数のプロセッサおよび／またはハードウェアモジュールを含む様々な回路を共にリンクさせる。バス９０４はまた、タイミングソース、周辺機器、電圧レギュレータ、および電力管理回路などの様々な他の回路をリンクさせ得、これらは、当該技術分野において周知であり、したがって、これ以上は説明されない。
【０１０６】
[00117]処理システム９０２は、トランシーバ９１０に結合されうる。トランシーバ９１０は、１つまたは複数のアンテナ９１２に結合される。トランシーバ９１０は、送信媒体を介して様々な他の装置と通信するための手段を提供する。トランシーバ９１０は、１つまたは複数のアンテナ９１２から信号を受信し、受信された信号から情報を抽出し、抽出された情報を処理システム９０２、具体的には受信モジュール８０４に提供する。加えて、トランシーバ９１０は、処理システム９０２、具体的には送信モジュール８０８から情報を受信し、受信された情報に少なくとも部分的に基づいて、１つまたは複数のアンテナ９１２に適用されることになる信号を生成する。処理システム９０２は、コンピュータ可読媒体／メモリ９０８に結合されたプロセッサ９０６を含む。プロセッサ９０６は、コンピュータ可読媒体／メモリ９０８に記憶されたソフトウェアの実行を含む、汎用処理を担う。ソフトウェアは、プロセッサ９０６によって実行されると、処理システム９０２に、任意の特定の装置に関して上記で説明された様々な機能を実行させる。コンピュータ可読媒体／メモリ９０８はまた、ソフトウェアを実行するとき、プロセッサ９０６によって操作されるデータを記憶するために使用され得る。処理システムは、モジュール８０４、８０６、および８０８のうちの少なくとも１つをさらに含む。モジュールは、プロセッサ９０６において実行中の、コンピュータ可読媒体／メモリ９０８中に存在する／記憶されたソフトウェアモジュール、プロセッサ９０６に結合された１つまたは複数のハードウェアモジュール、またはこれらの何らかの組合せであり得る。処理システム９０２は、ＢＳ１１０のコンポーネントであり得、メモリ２４２、ならびに／またはＴＸ  ＭＩＭＯプロセッサ２３０、受信プロセッサ２３８、および／もしくはコントローラ／プロセッサ２４０のうちの少なくとも１つを含み得る。
【０１０７】
[00118]いくつかの態様では、ワイヤレス通信のための装置８０２／８０２’は、複数のアンカーチャネルを決定するための手段と、少なくとも１つのＵＥに複数のアンカーチャネルを同時に送信するための手段と、複数のアンカーチャネルに少なくとも部分的に基づいて、少なくとも１つのＵＥと通信するための手段と、第２の送信において、複数のアンカーチャネルを同時に送信するための手段と、を含む。前述の手段は、前述の手段によって記載された機能を実行するように構成された装置８０２’の処理システム９０２および／または装置８０２の前述のモジュールのうちの１つまたは複数であり得る。上記で説明されたように、処理システム９０２は、ＴＸ  ＭＩＭＯプロセッサ２３０、受信プロセッサ２３８、および／またはコントローラ／プロセッサ２４０を含み得る。したがって、一構成では、前述の手段は、前述の手段によって記載された機能を実行するよう構成されたＴＸ  ＭＩＭＯプロセッサ２３０、受信プロセッサ２３８、および／またはコントローラ／プロセッサ２４０であり得る。
【０１０８】
[00119]図９は、例として提供される。他の例も可能であり、図９に関連して説明されたものとは異なり得る。
【０１０９】
[00120]図１０は、ワイヤレス通信の方法１０００のフローチャートである。方法は、ユーザ機器（例えば、図１のＵＥ１２０、装置１１０２／１１０２’、および／または同様のもの）によって実行され得る。
【０１１０】
[00121]１０１０において、ＵＥは、（例えば、アンテナ２５２、ＤＥＭＯＤ２５４、ＭＩＭＯ検出器２５６、受信プロセッサ２５８、コントローラ／プロセッサ２８０、および／または同様のものを使用して）複数のアンカーチャネルのうちの第１のアンカーチャネル上で少なくとも１つの同期信号を受信し得る。例えば、少なくとも１つの同期信号は、発見基準信号（例えば、ＮＰＳＳ、ＮＳＳＳなど）を含み得る。いくつかの態様では、少なくとも１つの同期信号は、周期的にまたは定期的に受信され得る。少なくとも１つの同期信号は、第１のアンカーチャネル上で受信され得、ここにおいて、第１のアンカーチャネルは、同時に送信された複数のアンカーチャネルのうちの１つである。
【０１１１】
[00122]１０２０において、ＵＥは、（例えば、アンテナ２５２、ＤＥＭＯＤ２５４、ＭＩＭＯ検出器２５６、受信プロセッサ２５８、コントローラ／プロセッサ２８０、および／または同様のものを使用して）オプションで、複数のアンカーチャネルのうちの少なくとも１つの他のアンカーチャネルにチューニングし得る。例えば、ＵＥが、第１のアンカーチャネル上でＮＰＢＣＨ、ＭＩＢ、またはＳＩＢを成功裏に受信しない場合、ＵＥは、複数のアンカーチャネルのうちの少なくとも１つの他のアンカーチャネルにチューニングし得る。このようにして、ＵＥは、複数の異なるアンカーチャネル上で発見基準信号を受信することによって、周波数ダイバーシティを達成する。
【０１１２】
[00123]１０３０において、ＵＥは、（例えば、アンテナ２５２、ＤＥＭＯＤ２５４、ＭＩＭＯ検出器２５６、受信プロセッサ２５８、コントローラ／プロセッサ２８０、および／または同様のものを使用して）複数のアンカーチャネルのうちの第１のアンカーチャネルおよび少なくとも１つの他のアンカーチャネル上で、ブロードキャストチャネルまたは情報ブロックのうちの少なくとも１つを受信し得る。例えば、ＵＥは、（例えば、ＵＥがチューニングされるアンカーチャネルにかかわらず）複数のアンカーチャネルを受信し得る。複数のアンカーチャネルは、第１のアンカーチャネル上に少なくとも１つの同期信号を含み得、２つ以上のアンカーチャネル上にブロードキャストチャネル（例えば、ＮＰＢＣＨなど）および／または情報ブロック（例えば、ＭＩＢ、ＳＩＢなど）を含み得る。
【０１１３】
[00124]１０４０において、ＵＥは、（例えば、アンテナ２５２、ＤＥＭＯＤ２５４、ＭＩＭＯ検出器２５６、受信プロセッサ２５８、コントローラ／プロセッサ２８０、および／または同様のものを使用して）少なくとも１つの同期信号に少なくとも部分的に基づいて、同期動作を実行し得る。例えば、ＵＥは、少なくとも１つの同期信号に少なくとも部分的に基づいて、基地局（例えば、ＢＳ１１０）と同期し得る。いくつかの態様では、ＵＥは、同期動作を実行するために、複数のアンカーチャネルの複数の送信を使用し得る。
【０１１４】
[00125]１０５０において、ＵＥは、（例えば、コントローラ／プロセッサ２８０および／または同様のものを使用して）オプションで、少なくとも１つの同期信号に少なくとも部分的に基づいて、複数のアンカーチャネルの構成を決定し得る。例えば、ＵＥは、いくつのアンカーチャネルが複数のアンカーチャネルにあるかを決定し得、複数のアンカーチャネルによって搬送される特定のタイプの情報を決定し得、および／または同様のことを行い得る。いくつかの態様では、ＵＥは、構成に少なくとも部分的に基づいて、複数のアンカーキャリアのうちの他のアンカーキャリアを受信または検出し得る。
【０１１５】
[00126]方法１０００は、以下で説明される任意の単一の態様または複数の態様の任意の組合せなどの、および／または、本明細書の他の箇所で説明される１つまたは複数の他のプロセスに関連した、追加の態様を含み得る。
【０１１６】
[00127]いくつかの態様では、少なくとも１つの同期信号は、複数のアンカーチャネルの第１の送信において受信され、ブロードキャストチャネルまたは情報ブロックのうちの少なくとも１つは、複数のアンカーチャネルの第２の送信において、少なくとも１つの他のアンカーチャネル上で受信される。いくつかの態様では、ブロードキャストチャネルまたは情報ブロックのうちの少なくとも１つは、第１の送信における第１のアンカーチャネル上でのブロードキャストチャネルまたは情報ブロックのうちの少なくとも１つの受信が不成功であったことに少なくとも部分的に基づいて、第２の送信において受信される。
【０１１７】
[00128]いくつかの態様では、ＵＥは、ブロードキャストチャネルまたは情報ブロックのうちの少なくとも１つを受信するために、少なくとも１つの他のアンカーチャネルにチューニングし得る。いくつかの態様では、複数のアンカーチャネルは、周期的にまたは繰り返し送信される。いくつかの態様では、情報ブロックは、自己復号可能マスタ情報ブロックを含む。いくつかの態様では、少なくとも１つの同期信号、ブロードキャストチャネル、または情報ブロックのうちの少なくとも１つが、発見基準信号である。
【０１１８】
[00129]いくつかの態様では、複数のアンカーチャネルは、発見基準信号チャネルを備える。いくつかの態様では、情報ブロックは、ＵＥのための周波数ホッピングホワイトリストを識別する。いくつかの態様では、ＵＥは、少なくとも１つの同期信号に少なくとも部分的に基づいて、複数のアンカーチャネルの構成を決定し得る。いくつかの態様では、決定は、少なくとも１つの同期信号のサイクリックシフトに少なくとも部分的に基づく。
【０１１９】
[00130]図１０は、ワイヤレス通信の方法の例となるブロックを示すが、いくつかの態様では、方法は、図１０に示されるものと比べて、異なって配置されたブロック、異なるブロック、より少ないブロック、または追加のブロックを含み得る。追加または代替として、図１０に示される２つ以上のブロックが並列に実行され得る。
【０１２０】
[00131]図１１は、例となる装置１１０２における異なるモジュール／手段／コンポーネント間のデータフローを例示する概念的なデータフロー図１１００である。装置１１０２は、ＵＥであり得る。いくつかの態様では、装置１１０２は、受信モジュール１１０４、同期モジュール１１０６、決定モジュール１１０８、および／または送信モジュール１１１０を含む。
【０１２１】
[00132]受信モジュール１１０４は、基地局１１５０（例えば、ＢＳ１１０、装置８０２／８０２’など）から信号１１１２を受信し得る。信号１１１２は、第１のアンカーチャネル上の少なくとも１つの同期信号を含み得、ここにおいて、第１のアンカーチャネルは、同時に送信された複数のアンカーチャネルのうちの１つである。追加または代替として、信号１１１２は、第１のアンカーチャネルおよび複数のアンカーチャネルのうちの少なくとも１つの他のアンカーチャネル上のブロードキャストチャネルおよび／または情報ブロックを含み得る。受信モジュール１１０４は、信号１１１２を、データ１１１４として同期モジュール１１０６に、またはデータ１１１６として決定モジュール１１０８に提供し得る。
【０１２２】
[00133]同期モジュール１１０６は、本明細書の他の箇所でより詳細に説明されるように、同期信号に少なくとも部分的に基づいて、同期動作を実行し得る。同期モジュール１１０６は、データ１１１８を送信モジュール１１１０に提供し得、これは、信号１１２０を送信することによって、データ１１１８に少なくとも部分的に基づいて通信し得る。
【０１２３】
[00134]決定モジュール１１０８は、少なくとも１つの同期信号に少なくとも部分的に基づいて、複数のアンカーチャネルの構成を決定し得る。いくつかの態様では、決定モジュールは、構成を示すデータ１１２２を、同期モジュール１１０６および／または受信モジュール１１０４に提供し得る。
【０１２４】
[00135]装置は、図１０の前述された方法１０００および／または同様のものにおけるアルゴリズムのブロックの各々を実行する追加のモジュールを含み得る。したがって、図１０の前述された方法１０００および／または同様のものにおける各ブロックは、モジュールによって実行され得、装置は、それらのモジュールのうちの１つまたは複数を含み得る。モジュールは、述べられたプロセス／アルゴリズムを行うように特に構成された１つまたは複数のハードウェアコンポーネントであるか、述べられたプロセス／アルゴリズムを実行するように構成されたプロセッサによってインプリメントされるか、プロセッサによるインプリメンテーションのためにコンピュータ可読媒体内に記憶されるか、またはこれらの何らかの組合せであり得る。
【０１２５】
[00136]図１１に示されるモジュールの数および配置は、例として提供される。実際には、図１１に示されるものと比べて、異なって配置されたモジュール、異なるモジュール、より少ないモジュール、または追加のモジュールが存在し得る。さらに、図１１に示される２つ以上のモジュールは、単一のモジュール内でインプリメントされ得、または図１１に示される単一のモジュールは、複数の分散されたモジュールとしてインプリメントされ得る。追加または代替として、図１１に示されるモジュールのセット（例えば、１つまたは複数のモジュール）は、図１１に示されるモジュールの別のセットによって実行されるものとして説明される１つまたは複数の機能を実行し得る。
【０１２６】
[00137]図１２は、処理システム１２０２を用いる装置１１０２’のためのハードウェアインプリメンテーションの例を例示する図１２００である。装置１１０２’は、ＵＥであり得る。
【０１２７】
[00138]処理システム１２０２は、概してバス１２０４によって表される、バスアーキテクチャを用いてインプリメントされ得る。バス１２０４は、処理システム１２０２の特定のアプリケーションおよび全体的な設計制約に依存して、任意の数の相互接続バスおよびブリッジを含み得る。バス１２０４は、プロセッサ１２０６、モジュール１１０４、１１０６、１１０８、１１１０、およびコンピュータ可読媒体／メモリ１２０８によって表される、１つまたは複数のプロセッサおよび／またはハードウェアモジュールを含む様々な回路を共にリンクさせる。バス１２０４はまた、タイミングソース、周辺機器、電圧レギュレータ、および電力管理回路などの様々な他の回路をリンクさせ得、これらは、当該技術分野において周知であり、したがって、これ以上は説明されない。
【０１２８】
[00139]処理システム１２０２は、トランシーバ１２１０に結合されうる。トランシーバ１２１０は、１つまたは複数のアンテナ１２１２に結合される。トランシーバ１２１０は、送信媒体を介して様々な他の装置と通信するための手段を提供する。トランシーバ１２１０は、１つまたは複数のアンテナ１２１２から信号を受信し、受信された信号から情報を抽出し、抽出された情報を処理システム１２０２、具体的には受信モジュール１１０４に提供する。加えて、トランシーバ１２１０は、処理システム１２０２、具体的には送信モジュール１１１０から情報を受信し、受信された情報に少なくとも部分的に基づいて、１つまたは複数のアンテナ１２１２に適用されることになる信号を生成する。処理システム１２０２は、コンピュータ可読媒体／メモリ１２０８に結合されたプロセッサ１２０６を含む。プロセッサ１２０６は、コンピュータ可読媒体／メモリ１２０８に記憶されたソフトウェアの実行を含む、汎用処理を担う。ソフトウェアは、プロセッサ１２０６によって実行されると、処理システム１２０２に、任意の特定の装置に関して上記で説明された様々な機能を実行させる。コンピュータ可読媒体／メモリ１２０８はまた、ソフトウェアを実行するとき、プロセッサ１２０６によって操作されるデータを記憶するために使用され得る。処理システムは、モジュール１１０４、１１０６、１１０８、および１１１０のうちの少なくとも１つをさらに含む。モジュールは、プロセッサ１２０６において実行中の、コンピュータ可読媒体／メモリ１２０８中に存在する／記憶されたソフトウェアモジュール、プロセッサ１２０６に結合された１つまたは複数のハードウェアモジュール、またはこれらの何らかの組合せであり得る。処理システム１２０２は、ＵＥ１２０のコンポーネントであり得、メモリ２８２、ならびに／またはＴＸ  ＭＩＭＯプロセッサ２６６、ＲＸプロセッサ２５８、および／もしくはコントローラ／プロセッサ２８０のうちの少なくとも１つを含み得る。
【０１２９】
[00140]いくつかの態様では、ワイヤレス通信のための装置１１０２／１１０２’は、第１のアンカーチャネル上で少なくとも１つの同期信号を受信するための手段と、複数のアンカーチャネルのうちの第１のアンカーチャネルおよび少なくとも１つの他のアンカーチャネル上で、ブロードキャストチャネルおよび／または情報ブロックを受信するための手段と、同期信号に少なくとも部分的に基づいて、同期動作を実行するための手段と、ブロードキャストチャネルおよび／または情報ブロックを受信するために、少なくとも１つの他のアンカーチャネルにチューニングするための手段と、少なくとも１つの同期信号に少なくとも部分的に基づいて、複数のアンカーチャネルの構成を決定するための手段と、を含む。前述の手段は、前述の手段によって記載された機能を実行するように構成された装置１１０２’の処理システム１２０２および／または装置１１０２の前述のモジュールのうちの１つまたは複数であり得る。上記で説明されたように、処理システム１２０２は、ＴＸ  ＭＩＭＯプロセッサ２６６、ＲＸプロセッサ２５８、および／またはコントローラ／プロセッサ２８０を含み得る。したがって、一構成では、前述の手段は、前述の手段によって記載された機能を実行するよう構成されたＴＸ  ＭＩＭＯプロセッサ２６６、ＲＸプロセッサ２５８、および／またはコントローラ／プロセッサ２８０であり得る。
【０１３０】
[00141]図１２は、例として提供される。他の例も可能であり、図１２に関連して説明されたものとは異なり得る。
【０１３１】
[00142]開示されたプロセス／フローチャートにおけるブロックの特定の順序または階層は、例となるアプローチの例示であることが理解される。設計の選好に基づいて、プロセス／フローチャートにおけるブロックの特定の順序または階層は、並べ替えられ得ることが理解される。さらに、いくつかのブロックは、組み合わされるか、または省略され得る。添付の方法の請求項は、様々なブロックの要素をサンプルの順序で提示したものであり、提示された特定の順序または階層に限定されるようには意図されない。
【０１３２】
[00143]先の説明は、いかなる当業者であっても、本明細書で説明された様々な態様を実現することを可能にするために提供された。これらの態様への様々な修正は、当業者には容易に明らかとなり、本明細書で定義された一般原理は、他の態様に適用され得る。したがって、特許請求の範囲は、本明細書で示された態様に限定されるようには意図されず、特許請求の範囲の文言と一致する全範囲が与えられるものとし、ここで、単数形の要素への参照は、そのように明記されていない限り、「１つおよび１つのみ」を意味するようには意図されず、「１つまたは複数」を意味するように意図される。「例示的（exemplary）」という用語は、本明細書で「例、事例、または例示を提供する」という意味で使用される。本明細書で「例示的」と説明される任意の態様は、必ずしも他の態様よりも好ましいまたは有利であると解釈されるべきでない。別段に明記されていない限り、「いくつかの（some）」という用語は、１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはこれらの任意の組合せ」などの組合せは、Ａ、Ｂ、および／またはＣの任意の組合せを含み、複数のＡ、複数のＢ、または複数のＣを含み得る。具体的には、「Ａ、Ｂ、またはＣのうちの少なくとも１つ」、「Ａ、Ｂ、およびＣのうちの少なくとも１つ」、および「Ａ、Ｂ、Ｃ、またはこれらの任意の組合せ」などの組合せは、Ａのみ、Ｂのみ、Ｃのみ、ＡとＢ、ＡとＣ、ＢとＣ、またはＡとＢとＣであり得、ここで、このような任意の組合せが、Ａ、Ｂ、またはＣの１つまたは複数のメンバーを含み得る。当業者に知られているか、または後に知られることとなる、本開示全体を通して説明された様々な態様の要素に対する全ての構造的および機能的な同等物は、参照によって本明細書に明確に組み込まれ、特許請求の範囲によって包含されるように意図される。さらに、本明細書で開示されたものはいずれも、そのような開示が特許請求の範囲において明記されているかどうかにかかわらず、公衆に放棄されるようには意図されない。いずれの請求項の要素も、その要素が「〜のための手段（means for)」という表現を使用して明記されていない限り、ミーンズプラスファンクションとして解釈されるべきではない。
【図１】
2021506172.tif 000003
【図２】
2021506172.tif 000004
【図３Ａ】
2021506172.tif 000005
【図３Ｂ】
2021506172.tif 000006
【図３Ｃ】
2021506172.tif 000007
【図３Ｄ】
2021506172.tif 000008
【図４Ａ】
2021506172.tif 000009
【図４Ｂ】
2021506172.tif 000010
【図５】
2021506172.tif 000011
【図６】
2021506172.tif 000012
【図７】
2021506172.tif 000013
【図８】
2021506172.tif 000014
【図９】
2021506172.tif 000015
【図１０】
2021506172.tif 000016
【図１１】
2021506172.tif 000017
【図１２】
2021506172.tif 000018
【国際調査報告】
2021506172.tif 000019
2021506172.tif 000020
2021506172.tif 000021